(57)【要約】      （修正有）【課題】複数色液体収容体に収容された複数色の液体を有効に利用することができる技術を提供する。【解決手段】液体収容体セット２０ａは、別体に構成された２以上の液体収容体２０Ａ，２０Ｂ，２０Ｃを備え、第１種液体収容体２０Ａ，２０Ｃと第２種液体収容体２０Ｂは、それぞれ、−Ｙ方向側に位置する第１側面と＋Ｙ方向側に位置する第２側面と、を有し、第２種液体収容体２０Ｂの第１側面に記憶装置を有する基板４００が配置され、Ｙ方向について、第２種液体収容体２０Ｂの第１側面と第２側面との距離は、第１種液体収容体２０Ａ，２０Ｃの第１側面と第２側面との距離よりも大きく、基板４００は、第２種液体収容体２０Ｂが装着部に装着された状態において、凹部内に配置され、記憶装置には、２以上の液体収容体に関する情報が記憶されている。【選択図】図２４
2020001300.tif 000002
【特許請求の範囲】
【請求項１】
凹部を有する装置側側壁と、前記凹部に配置された装置側端子と、を有する液体噴射装置の装着部に装着される液体収容体セットであって、
別体に構成された２以上の液体収容体を備え、
前記２以上の液体収容体のうち、
基板が設けられていない前記液体収容体を第１種液体収容体とし、
記憶装置を有する前記基板であって前記装置側端子と接触するための前記基板が設けられた前記液体収容体を第２種液体収容体とし、
互いに直交する２つの方向をＸ方向およびＹ方向としたとき、
前記第１種液体収容体と前記第２種液体収容体は、それぞれ、前記Ｙ方向に対向する第１側面と第２側面であって、−Ｙ方向側に位置する第１側面と、＋Ｙ方向側に位置する第２側面と、を有し、
前記第２種液体収容体の前記第１側面に、前記基板が配置され、
前記Ｙ方向について、前記第２種液体収容体の前記第１側面と前記第２側面との距離は、前記第１種液体収容体の前記第１側面と前記第２側面との距離よりも大きく、
前記基板は、前記第２種液体収容体が前記装着部に装着された状態において、前記凹部内に配置され、
前記記憶装置には、前記２以上の液体収容体に関する情報が記憶されている、液体収容体セット。
【請求項２】
凹部を有する装置側側壁と、前記凹部に配置された装置側端子と、を有する液体噴射装置の装着部に装着される液体収容体セットであって、
別体に構成された２以上の液体収容体と、
記憶装置を有する基板であって前記装置側端子と接触するための基板が設けられたアダプターと、を備え、
互いに直交する２つの方向をＸ方向及びＹ方向としたとき、
前記２以上の液体収容体は、前記装着部に対して前記Ｘ方向に並べて配置され、
前記２以上の液体収容体はそれぞれ、前記Ｙ方向に対向する第１側面と第２側面であって、−Ｙ方向側に位置する第１側面と、＋Ｙ方向側に位置する第２側面と、を有し、
前記液体収容体セットが前記装着部に装着されたときに、
前記アダプターは前記第１側面側に配置され、
前記基板は前記凹部内に配置され、
前記記憶装置には、前記２以上の液体収容体に関する情報が記憶されている、液体収容体セット。
【請求項３】
第１凹部と第２凹部とを有する装置側側壁と、前記第１凹部に配置された第１装置側端子と、前記第２凹部に配置された第２装置側端子と、を有する液体噴射装置の装着部に装着される液体収容体セットであって、
別体に構成された３以上の液体収容体と、
アダプターと、を備え、
前記アダプターは、
第１記憶装置を有する第１基板であって前記第１装置側端子と接触するための第１基板と、
第２記憶装置を有する第２基板であって前記第２装置側端子と接触するための第２基板と、を有し、
互いに直交する２つの方向をＸ方向及びＹ方向としたとき、
前記３以上の液体収容体は、前記装着部に対して前記Ｘ方向に並べて配置され、
前記３以上の液体収容体はそれぞれ、前記Ｙ方向に対向する第１側面と第２側面であって、−Ｙ方向側に位置する第１側面と、＋Ｙ方向側に位置する第２側面と、を有し、
前記液体収容体セットが前記装着部に装着されたときに、
前記アダプターは前記第１側面側に配置され、
前記第１基板は前記第１凹部内に配置され、
前記第２基板は前記第２凹部内に配置され、
前記第２記憶装置には、２以上の前記液体収容体に関する情報が記憶されている、液体収容体セット。
【請求項４】
互いに直交する２つの方向をＸ方向およびＹ方向としたとき、前記Ｘ方向に並べて設けられた２以上の液体供給針と、−Ｙ方向側に位置する装置側側壁であって、第１装置側端子が配置された第１凹部と、第２装置側端子が配置された第２凹部とを有する液体噴射装置の装着部に装着される液体収容体であって、
単一種類の液体を収容する液体収容部と、
前記２以上の液体供給針に対応して設けられた２以上の液体供給口と、
第１記憶装置を有する第１基板であって前記第１装置側端子と接触するための第１基板と、
第２記憶装置を有する第２基板であって前記第２装置側端子と接触するための第２基板と、を備え、
前記液体収容体が前記装着部に装着された状態では、前記第１基板は前記第１凹部内に配置され、前記第２基板は前記第２凹部内に配置される、液体収容体。
【請求項５】
請求項４に記載の液体収容体であって、さらに、
前記液体収容部を区画する外殻と、
前記外殻と別体に設けられ、前記第１基板と前記第２基板とが設けられたアダプターと、を有する、液体収容体。
【発明の詳細な説明】
【技術分野】
【０００１】
本発明は、液体収容体の技術に関する。
【背景技術】
【０００２】
従来、黒色のインクを収容する単一色カートリッジと、複数色のカラーインクを収容する複数色カートリッジとを、プリンターのカートリッジ装着部に装着する技術が知られている（例えば、特許文献１〜４）。また、従来の技術において、単一色カートリッジや複数色カートリッジはそれぞれ、収容するインク情報を記憶したメモリーを有する回路基板を備える。
【先行技術文献】
【特許文献】
【０００３】
【特許文献１】国際公開第９９／５９８２３号
【特許文献２】特表２００３−５２０７１１号公報
【特許文献３】特開２００７−２７６４９５号公報
【特許文献４】特開２０１５−１６０３１４号公報
【発明の概要】
【発明が解決しようとする課題】
【０００４】
複数色カートリッジにおいて、収容されている複数色のインクのいずれか一つのインク量が少なくなった場合、他の色のインク量が十分に残っている場合でも、複数色カートリッジを新たな複数色カートリッジに交換する必要が生じ得る。これにより、複数色カートリッジに収容された複数色のインクを有効に利用することができない場合がある。また、単一色カートリッジに収容されたインクの消費量が多い場合、単一色カートリッジを頻繁に新たな単一色カートリッジに交換する必要が生じ得る。単一色カートリッジを頻繁に交換する作業は、利用者にとって煩わしさを感じる場合がある。また、カートリッジ装着部の形状および機能は、装着される単一色カートリッジや複数色カートリッジが着脱できるように設計されている。このため、カートリッジ装着部に装着できる単一色カートリッジや複数色カートリッジの種類が限定される場合があり、汎用性が低くなる恐れが生じ得る。また、単一色カートリッジや複数色カートリッジがカートリッジ装着部に装着された状態において、回路基板とカートリッジ装着部に設けられた端子との接触が、振動などに起因して良好に維持できない場合が生じ得る。これらの課題は、インクカートリッジに限られず、インク以外の液体を収容する液体収容体に共通する。
【課題を解決するための手段】
【０００５】
本発明の一形態によれば、凹部を有する装置側側壁と、前記凹部に配置された装置側端子と、を有する液体噴射装置の装着部に装着される液体収容体セットが提供される。この液体収容体セットは、別体に構成された２以上の液体収容体を備え、前記２以上の液体収容体のうち、基板が設けられていない前記液体収容体を第１種液体収容体とし、記憶装置を有する前記基板であって前記装置側端子と接触するための前記基板が設けられた前記液体収容体を第２種液体収容体とし、互いに直交する２つの方向をＸ方向およびＹ方向としたとき、前記第１種液体収容体と前記第２種液体収容体は、それぞれ、前記Ｙ方向に対向する第１側面と第２側面であって、−Ｙ方向側に位置する第１側面と、＋Ｙ方向側に位置する第２側面と、を有し、前記第２種液体収容体の前記第１側面に、前記基板が配置され、前記Ｙ方向について、前記第２種液体収容体の前記第１側面と前記第２側面との距離は、前記第１種液体収容体の前記第１側面と前記第２側面との距離よりも大きく、前記基板は、前記第２種液体収容体が前記装着部に装着された状態において、前記凹部内に配置され、前記記憶装置には、前記２以上の液体収容体に関する情報が記憶されている。
【０００６】
本発明の他の一形態によれば、凹部を有する装置側側壁と、前記凹部に配置された装置側端子と、を有する液体噴射装置の装着部に装着される液体収容体セットが提供される。この液体収容体セットは、別体に構成された２以上の液体収容体と、記憶装置を有する基板であって前記装置側端子と接触するための基板が設けられたアダプターと、を備え、互いに直交する２つの方向をＸ方向及びＹ方向としたとき、前記２以上の液体収容体は、前記装着部に対して前記Ｘ方向に並べて配置され、前記２以上の液体収容体はそれぞれ、前記Ｙ方向に対向する第１側面と第２側面であって、−Ｙ方向側に位置する第１側面と、＋Ｙ方向側に位置する第２側面と、を有し、前記液体収容体セットが前記装着部に装着されたときに、前記アダプターは前記第１側面側に配置され、前記基板は前記凹部内に配置され、前記記憶装置には、前記２以上の液体収容体に関する情報が記憶されている。
【０００７】
本発明の他の一形態によれば、第１凹部と第２凹部とを有する装置側側壁と、前記第１凹部に配置された第１装置側端子と、前記第２凹部に配置された第２装置側端子と、を有する液体噴射装置の装着部に装着される液体収容体セットが提供される。この液体収容体セットは、別体に構成された３以上の液体収容体と、アダプターと、を備え、前記アダプターは、第１記憶装置を有する第１基板であって前記第１装置側端子と接触するための第１基板と、第２記憶装置を有する第２基板であって前記第２装置側端子と接触するための第２基板と、を有し、互いに直交する２つの方向をＸ方向及びＹ方向としたとき、前記３以上の液体収容体は、前記装着部に対して前記Ｘ方向に並べて配置され、前記３以上の液体収容体はそれぞれ、前記Ｙ方向に対向する第１側面と第２側面であって、−Ｙ方向側に位置する第１側面と、＋Ｙ方向側に位置する第２側面と、を有し、前記液体収容体セットが前記装着部に装着されたときに、前記アダプターは前記第１側面側に配置され、前記第１基板は前記第１凹部内に配置され、前記第２基板は前記第２凹部内に配置され、前記第２記憶装置には、２以上の前記液体収容体に関する情報が記憶されている。
【０００８】
本発明の他の一形態によれば、互いに直交する２つの方向をＸ方向およびＹ方向としたとき、前記Ｘ方向に並べて設けられた２以上の液体供給針と、−Ｙ方向側に位置する装置側側壁であって、第１装置側端子が配置された第１凹部と、第２装置側端子が配置された第２凹部とを有する液体噴射装置の装着部に装着される液体収容体が提供される。この液体収容体は、単一種類の液体を収容する液体収容部と、前記２以上の液体供給針に対応して設けられた２以上の液体供給口と、第１記憶装置を有する第１基板であって前記第１装置側端子と接触するための第１基板と、第２記憶装置を有する第２基板であって前記第２装置側端子と接触するための第２基板と、を備え、前記液体収容体が前記装着部に装着された状態では、前記第１基板は前記第１凹部内に配置され、前記第２基板は前記第２凹部内に配置される。
【図面の簡単な説明】
【０００９】
【図１】液体噴射システムの構成を示す斜視図。
【図２】キャリッジの第１上面図。
【図３】キャリッジの第２上面図。
【図４】キャリッジの第１斜視図。
【図５】キャリッジの第２斜視図。
【図６】接点機構の構成を説明する第１の説明図。
【図７】接点機構の構成を説明する第２の説明図。
【図８】ヘッドを説明するための模式図。
【図９】図２の９−９断面図。
【図１０】図２の１０−１０断面図。
【図１１】第１カートリッジの第１斜視図。
【図１２】第１カートリッジの第２斜視図。
【図１３】第２カートリッジの第１斜視図。
【図１４】第２カートリッジの第２斜視図。
【図１５】第２カートリッジの上面図。
【図１６】第２カートリッジの底面図。
【図１７】第２カートリッジの背面図。
【図１８】第２カートリッジの正面図。
【図１９】第２カートリッジの左側面図。
【図２０】第２カートリッジの右側面図。
【図２１】第２回路基板の正面図。
【図２２】第２回路基板の側面図。
【図２３】第２カートリッジの装着状態における第２回路基板近傍を示す模式図。
【図２４】第２実施形態の液体収容体セットを説明するための第１の図。
【図２５】第２実施形態の液体収容体セットを説明するための第２の図。
【図２６】第２実施形態の液体収容体セットを説明するための第３の図。
【図２７】第３実施形態の液体収容体セットを説明するための第１の図。
【図２８】第３実施形態の液体収容体セットを説明するための第２の図。
【図２９】第４実施形態の液体収容体セットを説明するための図。
【図３０】第５実施形態の液体収容体セットを説明するための第１の図。
【図３１】第５実施形態の液体収容体セットを説明するための第２の図。
【図３２】第６実施形態の液体収容体セットを説明するための第１の図。
【図３３】第６実施形態の液体収容体セットを説明するための第２の図。
【図３４】第７実施形態の液体収容体を説明するための図。
【発明を実施するための形態】
【００１０】
Ａ．第１実施形態：
Ａ−１．液体噴射装置の全体構成：
図１は、液体噴射システム９０の構成を示す斜視図である。図１には、互いに直交するＸＹＺ軸が描かれている。図１のＸＹＺ軸は他の図のＸＹＺ軸に対応している。これ以降に示す図についても必要に応じてＸＹＺ軸を付している。Ｘ軸に沿った方向をＸ方向とし、Ｙ軸に沿った方向をＹ方向とし、Ｚ軸に沿った方向をＺ方向とする。また、Ｘ方向の一方の方向を＋Ｘ方向とし、Ｘ方向の他方の方向を−Ｘ方向とする。また、Ｙ方向の一方の方向を＋Ｙ方向とし、他方の方向を−Ｙ方向とする。また、Ｚ方向の一方の方向を＋Ｚ方向とし、他方の方向を−Ｚ方向とする。液体噴射システム９０が、Ｘ方向とＹ方向とに平行な水平面であるＸＹ平面に設置された状態において、Ｚ方向は上下方向であり、＋Ｚ方向は反重力方向または上方向であり、−Ｚ方向は重力方向または下方向である。また、液体噴射システム９０において、Ｙ方向が前後方向であり、Ｘ方向が幅方向または左右方向である。
【００１１】
液体噴射システム９０は、２種類のカートリッジ１０，２０からなるカートリッジセット５と、液体噴射装置５０とを備える。液体噴射システム９０では、液体噴射装置５０のカートリッジホルダー６０に、利用者によって２種類のカートリッジ１０，２０が着脱可能に装着される。液体噴射装置５０は、最大Ａ３サイズぐらいまでの用紙への印刷に対応可能なインクジェットプリンターである。液体噴射装置５０は、３種類以上の液体を噴射可能なヘッド５４０を有する。本実施形態では、ヘッド５４０は、色が異なる４種類のインク（ブラックインク、イエローインク、マゼンタインク、シアンインク）を射出可能である。ここで、カートリッジ１０を「第１カートリッジ１０」とも呼び、カートリッジ２０を「第２カートリッジ２０」とも呼ぶ。
【００１２】
第１カートリッジ１０と第２カートリッジ２０とは、Ｘ方向に並んでカートリッジホルダー６０に装着される。第１カートリッジ１０は、１種類の液体を収容する。本実施形態では、第１カートリッジ１０はブラックインクを収容する。第２カートリッジ２０は、イエローインク、マゼンタインク、シアンインクの３種類のインクを収容する。つまり、第２カートリッジ２０は、ヘッド５４０が射出可能な３種類以上、本実施形態では４種類の液体から第１カートリッジ１０が収容する１種類の液体を除いた残りの種類の液体のうち、複数種類の液体を収容する。ここで、カートリッジホルダー６０に装着されるカートリッジの数や種類は、本実施形態に限定されるものではない。例えば、２つの第１カートリッジ１０と１つの第２カートリッジ２０をカートリッジホルダー６０に装着してもよい。この場合、カートリッジの数に応じてカートリッジホルダー６０の構成を変更すればよい。また、第１カートリッジ１０と第２カートリッジ２０に収容される液体の種類は、本実施形態に限定されるものではない。例えば、第２カートリッジ２０に他の色、例えばライトアゼンタやライトシアンのインクを収容してもよい。また、第２カートリッジ２０は、２種類の液体を収容できる構成であってもよいし、４種類以上の液体を収容できる構成であってもよい。
【００１３】
液体噴射装置５０は、カートリッジホルダー６０の他に、制御部５１０と、カートリッジホルダー６０を有するキャリッジ５２０と、を備える。キャリッジ５２０は上述のヘッド５４０を備える。液体噴射装置５０は、カートリッジホルダー６０に装着された第１カートリッジ１０および第２カートリッジ２０から後述する液体供給針を介してヘッド５４０にインクを流通させる。ヘッド５４０に流通したインクは、紙やラベルなどの印刷媒体５１５に向けて吐出される。これにより、ヘッド５４０を用いて文字、図形および画像などのデータが印刷媒体５１５に印刷される。
【００１４】
制御部５１０は、液体噴射装置５０の各部を制御する。キャリッジ５２０は、印刷媒体５１５に対して相対的に移動可能に構成されている。ヘッド５４０は、カートリッジホルダー６０に装着されたカートリッジ１０，２０から供給されるインクを印刷媒体５１５に吐出するインク吐出機構を備える。制御部５１０とキャリッジ５２０との間はフレキシブルケーブル５１７を介して電気的に接続されており、ヘッド５４０のインク吐出機構は、制御部５１０からの制御信号に基づいて動作する。
【００１５】
本実施形態では、キャリッジ５２０は、ヘッド５４０とカートリッジホルダー６０とを備える。このように、ヘッド５４０を移動させるキャリッジ５２０上のカートリッジホルダー６０にカートリッジ２０が装着される液体噴射装置５０のタイプは、「オンキャリッジタイプ」とも呼ばれる。他の実施形態では、キャリッジ５２０とは異なる部位に、不動のカートリッジホルダー６０を構成し、カートリッジホルダー６０に装着されたカートリッジ２０からのインクを、フレキシブルチューブを介してキャリッジ５２０のヘッド５４０に供給しても良い。このようなプリンターのタイプは、「オフキャリッジタイプ」とも呼ばれる。
【００１６】
液体噴射装置５０は、キャリッジ５２０と印刷媒体５１５とを相対的に移動させて印刷媒体５１５に対する印刷を実現するための主走査送り機構および副走査送り機構を備える。液体噴射装置５０の主走査送り機構は、キャリッジモーター５２２および駆動ベルト５２４を備える。駆動ベルト５２４を介してキャリッジモーター５２２の動力をキャリッジ５２０に伝達することによって、キャリッジ５２０がＸ方向に沿って往復移動する。液体噴射装置５０の副走査送り機構は、搬送モーター５３２およびプラテン５３４を備え、搬送モーター５３２の動力をプラテン５３４に伝達することによって、＋Ｙ方向に印刷媒体５１５を搬送する。キャリッジ５２０が往復移動する方向を主走査方向、印刷媒体５１５が搬送される方向を副走査方向と呼ぶこともある。本実施形態では、主走査方向はＸ方向、副走査方向はＹ方向である。主走査送り機構のキャリッジモーター５２２、および副走査送り機構の搬送モーター５３２は、制御部５１０からの制御信号に基づいて動作する。
【００１７】
Ａ−２．キャリッジ５２０の構成：
図２は、キャリッジ５２０の第１上面図である。図３は、キャリッジ５２０の第２上面図である。図４は、キャリッジ５２０の第１斜視図である。図５は、キャリッジ５２０の第２斜視図である。図６は、接点機構７０Ａの構成を説明する第１の説明図である。図７は、接点機構７０Ａの構成を説明する第２の説明図である。図２には、カートリッジホルダー６０に、設計された装着位置に正しく装着された状態の第１カートリッジ１０および第２カートリッジ２０も図示している。「設計された装着位置に正しく装着された状態」とは、後述するカートリッジ側端子群の各端子が、液体噴射装置５０の接点機構７０の装置側端子群の対応する各端子にそれぞれ接触する位置にカートリッジ１０，２０が位置する状態をいう。
【００１８】
図４および図５に示すように、カートリッジホルダー６０は、５つの壁部６０１，６０３，６０４，６０５，６０６を有する。これら５つの壁部６０１，６０３，６０４，６０５，６０６によって形成された凹部が、カートリッジ１０，２０を装着するための装着部６０２となる。図２および図３に示すように、装着部６０２は、＋Ｘ方向側に位置し、第１カートリッジ１０を装着するための第１装着部６０２Ｗと、−Ｘ方向側に位置し、第２カートリッジ２０を装着するための第２装着部６０２Ｔとを有する。装着部６０２は、上側である＋Ｚ方向側が開口しており、この開口を介してカートリッジ１０，２０がカートリッジホルダー６０に着脱される。壁部６０１を「装置側底壁部６０１」とも呼ぶ。壁部６０３を「第１装置側側壁部６０３」とも呼ぶ。壁部６０４を「第２装置側側壁部６０４」とも呼ぶ。壁部６０５を「第３装置側側壁部６０５」とも呼ぶ。壁部６０６を「第４装置側側壁部６０６」とも呼ぶ。
【００１９】
図４に示すように装置側底壁部６０１は、凹形状の装着部６０２の底面を形成する。第１〜第４装置側側壁部６０３，６０４，６０５，６０６は、装置側第１壁部６０１から＋Ｚ方向に立ち上がり、凹形状の装着部６０２の側面を形成する。第１装置側側壁部６０３と第２装置側側壁部６０４とは、Ｙ方向において対向する。第１装置側側壁部６０３は−Ｙ方向側に位置し、第２装置側側壁部６０４は＋Ｙ方向側に位置する。第３装置側側壁部６０５と第４装置側側壁部６０６とは、Ｘ方向において対向する。第３装置側側壁部６０５は＋Ｘ方向側に位置し、第４装置側側壁部６０６は−Ｘ方向側に位置する。
【００２０】
図３〜図５に示すように、カートリッジホルダー６０は、さらに、複数の液体供給針６４０と、装置側端子を有する複数の接点機構７０と、を備える。本実施形態では、複数の液体供給針６４０は４つ設けられている。４つの液体供給針６４０は、第１液体供給針６４０Ａ、第２液体供給針６４０Ｂ、第３液体供給針６４０Ｃ、第４液体供給針６４０Ｄである。第１液体供給針６４０Ａ〜第４液体供給針６４０Ｄを区別することなく用いる場合は「液体供給針６４０」を用いる。複数の接点機構７０は２つ設けられている。２つの接点機構は、第２接点機構７０Ａと第１接点機構７０Ｂである。第２接点機構７０Ａと第１接点機構７０Ｂとを区別することなく用いる場合は、「接点機構７０」を用いる。
【００２１】
図５に示すように、液体供給針６４０は、カートリッジホルダー６０内である装着部６０２に設けられている。液体供給針６４０は、内部に液体を流通させる流路を有する。液体供給針６４０は、図２に示すカートリッジ１０，２０の対応する液体供給口１８０，２８０内に挿入される。これにより、カートリッジ１０，２０に収容された液体が、液体供給針６４０の内部の流路に導入される。液体供給針６４０に導入された液体は、ヘッド５４０に供給される。
【００２２】
図５に示すように、液体供給針６４０は、装置側第１壁部６０１から＋Ｚ方向に延びる部材であり、基端部６４５と先端部６４２とを有する。液体供給針６４０の基端部６４５側は円柱形状であり、先端部６４２側は＋Ｚ軸方向側に向かうに従い外径が小さくなる略円錐形状である。基端部６４５は、液体供給針６４０の−Ｚ方向側端部を形成する。先端部６４２は、液体供給針６４０の＋Ｚ方向側端部を形成する。先端部６４２には、カートリッジ１０，２０から供給される液体を内部の流路に導入するための導入孔が形成されている。液体供給針６４０は、Ｚ軸方向に沿った中心軸Ｃを有する。
【００２３】
図３に示すように、第１液体供給針６４０Ａ〜第４液体供給針６４０Ｄは、Ｘ方向に並んで配置されている。第１液体供給針６４０Ａ〜第４液体供給針６４０Ｄは、装置側底壁部６０１のうちで、装置側底壁部６０１から＋Ｚ方向に立ち上がる枠状の装置側規制壁部６１５に取り囲まれた部分に配置されている。第１液体供給針６４０Ａ〜第３液体供給針６４０Ｃは、装置側規制壁部６１５で取り囲まれた領域のうちで、−Ｘ方向側に位置する領域６１１内に配置されている。第４液体供給針６４０Ｄは、装置側規制壁部６１５で取り囲まれた領域のうちで、＋Ｘ方向側に位置する領域６１２内に配置されている。装置側規制壁部６１５は、第１カートリッジ１０および第２カートリッジ２０がカートリッジホルダー６０に装着された装着状態において、第１カートリッジ１０および第２カートリッジ２０の動きを規制する。具体的には、装置側規制壁部６１５は、第１カートリッジ１０および第２カートリッジ２０のＸ方向とＹ方向とに平行なＸＹ平面に沿った動きを規制する。
【００２４】
図３に示すように、第１液体供給針６４０Ａ〜第３液体供給針６４０Ｃは、第２装着部６０２Ｔに配置されている。３つの液体供給針６４０Ａ〜６４０Ｃは、それぞれ第２カートリッジ２０が有する３つの対応する液体供給口２８０に挿入される。これにより、第１液体供給針６４０Ａ〜第３液体供給針６４０Ｃ内には、それぞれ第２カートリッジ２０に収容された異なる種類の液体が流通する。本実施形態では、第１液体供給針６４０Ａにはイエローインクが流通し、第２液体供給針６４０Ｂにはマゼンタインクが流通し、第３液体供給針６４０Ｃにはシアンインクが流通する。第４液体供給針６４０Ｄは、第１カートリッジ１０が有する１つの第１液体供給口１８０に挿入される。これにより、第４液体供給針６４０Ｄ内には、第１カートリッジ１０に収容された液体であるブラックインクが流通する。
【００２５】
図４に示すように、接点機構７０は、第１装置側側壁部６０３に設けられている。第２接点機構７０Ａは、第２カートリッジ２０の装着状態において、第２カートリッジ２０の後述する接触部と接触する装置側端子群７９９を有する。第１接点機構７０Ｂは、第１カートリッジ１０の装着状態において、第１カートリッジ１０の後述する接触部と接触する装置側端子群７９９を有する。
【００２６】
第２接点機構７０Ａと第１接点機構７０Ｂとの構成は同一であるので、以下では第２装着部６０２Ｔに設けられた第２接点機構７０Ａを用いて説明する。図６および図７に示すように、第２接点機構７０Ａは、第２カートリッジ２０のカートリッジ側端子群と接触する接点形成部材７０３，７０４を有する。図６および図７に示すように、第２接点機構７０Ａには、カートリッジ側端子群４９９の各カートリッジ側端子４３１〜４３９に対応するように、ほぼ一定のピッチで、深さが異なる２種類の複数のスリット７０１、７０２が交互に形成されている。
【００２７】
各スリット７０１，７０２内には、図６に示す保持部材７０５が配置されている。各スリット７０１、７０２の保持部材７０５には、導電性と弾性を備えた接点形成部材７０３，７０４が嵌め込まれている。接点形成部材７０３，７０４は、保持部材７０５と接触した部分を支点として両端部がＹ方向成分を含む方向に弾性変形できる。
【００２８】
接点形成部材７０３，７０４の両端部のうち、装着部６０２内に露出する端部７９２は、第２カートリッジ２０の第２回路基板４００が有する各カートリッジ側端子４３１〜４３９のうちの対応するカートリッジ側端子に弾性的に接触する。なお、接点機構７０Ｂは、第１カートリッジ１０の後述する第１回路基板３０が有するカートリッジ側端子と弾性的に接触する。図６に示すように、端部７９２は、カートリッジ側端子群４９９によって−Ｙ方向側に押し付けられることで、無負荷状態よりも−Ｙ方向側に弾性変形する。これにより、端部７９２によってカートリッジ側端子群４９９が＋Ｙ方向に押し付けられることで、接点形成部材７０３，７０４とカートリッジ側端子群４９９との接触を良好に維持できる。
【００２９】
カートリッジ側端子４３１〜４３９のうちで、接点形成部材７０３，７０４と接触する部分が接触部となる。図７には、接点形成部材７０３，７０４における、カートリッジ側端子４３１〜４３９と接触する部分７１０〜７９０が示されている。すなわち、カートリッジ側端子４３１〜４３９と接触する部分７１０〜７９０は、液体噴射装置５０の制御部５１０と、カートリッジ側端子４３１〜４３９とを電気的に接続するための装置側端子として機能する。以下、図７に示すカートリッジ側端子４３１〜４３９と接触する部分７１０〜７９０を、装置側端子７１０〜７９０とも呼ぶ。また、装置側端子７１０〜７９０をまとめて装置側端子群７９９ともよぶ。
【００３０】
一方、接点形成部材７０３，７０４のうちで装着部６０２の外側に位置する図６に示す端部７９３は、液体噴射装置５０の中継基板７９０Ａに設けられた端子７１０〜７９０のうちの対応する端子に弾性的に接触する。
【００３１】
カートリッジホルダー６０は、さらに、図４に示す装置側係合部６３２と、図４および図５に示す規制部としての規制部６３５とを備える。
【００３２】
図４に示す装置側係合部６３２は、第１装置側側壁部６０３に設けられ、かつ、接点機構７０よりも＋Ｚ方向側に設けられている。装置側係合部６３２は２つ設けられている。２つの装置側係合部６３２を区別して用いる場合には、符号「６３２Ａ」，「６３２Ｄ」を用いる。装置側係合部６３２は、第１装置側側壁部６０３から装着部６０２側である＋Ｙ方向側に突出する突出片である。第２装着部６０２Ｔに設けられた装置側係合部６３２Ａは、第２カートリッジ２０の装着状態において、第２カートリッジ２０の後述する係合部材を係止する。第１装着部６０２Ｗに設けられた装置側係合部６３２Ｄは、第１カートリッジ１０の装着状態において、第１カートリッジ１０の後述する係合部材を係止する。
【００３３】
図４および図５に示す規制部６３５は、第１装置側側壁部６０３から＋Ｙ方向側である装着部６０２側に突出する壁部である。規制部６３５は、装置側係合部６３２よりも下側であって、かつ、Ｚ方向において少なくとも接点機構７０が位置する範囲に位置する。規制部６３５は３つ設けられている。３つの規制部６３５は、第１規制部６３５Ａ、第２規制部６３５Ｂ、第３規制部６３５Ｃである。第１規制部６３５Ａ〜第３規制部６３５Ｃを区別することなく用いる場合は、規制部６３５を用いる。
【００３４】
第１規制部６３５Ａは、接点機構７０Ａよりも−Ｘ軸方向側に位置する。第２規制部６３５Ｂは、接点機構７０Ａよりも＋Ｘ方向側に位置し、接点機構７０Ｂよりも−Ｘ方向側に位置する。第３規制部６３５Ｃは、接点機構７０Ｂよりも＋Ｘ方向側に位置する。
【００３５】
第１規制部６３５Ａと第２規制部６３５Ｂとは、接点機構７０ＡをＸ方向に挟むように配置されている。つまり、接点機構７０Ａは、第１規制部６３５Ａと第２規制部６３５ＢによってＸ方向の側面が形成された空間部に配置されている。また、第２規制部６３５Ｂと第３規制部６３５Ｃとは、接点機構７０ＢをＸ方向に挟むように配置されている。つまり、接点機構７０Ｂは、第２規制部６３５Ｂと第３規制部６３５ＣとによってＸ方向の側面が形成された空間部に配置されている。
【００３６】
図５に示すように、第１規制部６３５Ａは、Ｘ方向において接点機構７０Ａの装置側端子群７９９と対向する第１規制壁面６３５ｆａを有する。第１規制壁面６３５ｆａは、第１規制部６３５Ａの＋Ｘ方向側側面を形成する。第１規制壁面６３５ｆａは、＋Ｘ方向を向く面である。つまり、第１規制壁面６３５ｆａは、Ｙ方向とＺ方向に概ね平行な面である。
【００３７】
図４に示す第２規制部６３５Ｂは、Ｘ方向において接点機構７０Ａの装置側端子群７９９と対向する第２規制壁面６３５ｆｂを有する。第２規制壁面６４５ｆｂは、Ｘ方向において接点機構７０Ａの装置側端子群７９９を挟んで第１規制壁面６３５ｆａと対向する面であり、−Ｘ方向を向く面である。つまり、第２規制壁面６３５ｆｂは、Ｙ方向とＺ方向に概ね平行な面である。第２規制壁面６３５ｆｂは、第２規制部６３５Ｂの−Ｘ方向側側面を形成する。第２規制部６３５Ｂは、さらに、Ｘ方向において接点機構７０Ｂの装置側端子群７９９と対向する図５に示す第３規制壁面６３５ｆｃを有する。第３規制壁面６３５ｆｃは、第２規制部６３５Ｂの＋Ｘ方向側側面を形成する。第３規制壁面６３５ｆｃは、＋Ｘ方向を向く面である。つまり、第３規制壁面６３５ｆｃは、Ｙ方向とＺ方向に概ね平行な面である。
【００３８】
図４に示すように、第３規制部６３５Ｃは、Ｘ方向において接点機構７０Ｂの装置側端子群７９９と対向する第４規制壁面６３５ｆｄを有する。第３規制部６３５Ｃは、第３装置側側壁部６０５の一部として構成されてもよい。第４規制壁面６３５ｆｄは、Ｘ方向において接点機構７０Ｂの装置側端子群７９９を挟んで第３規制壁面６３５ｆｃと対向する面であり、−Ｘ方向を向く面である。つまり、第４規制壁面６３５ｆｄは、Ｙ方向とＺ方向に概ね平行な面である。
【００３９】
図４および図５に示すように、装着部６０２の第１装置側側壁部６０３側の構成は、以下のように捉えることもできる。つまり、装着部６０２は、−Ｙ方向側に位置する装置側側壁６０３Ａを備える。装置側側壁６０３Ａは、−Ｙ方向側に凹んだ第２凹部７５Ａおよび第１凹部７５Ｂを有する。第２装置側端子群７９９Ａは、第２凹部７５Ａ内に配置されている。第１装置側端子群７９９Ｂは、第１凹部７５Ｂ内に配置されている。第２凹部７５Ａは、Ｘ方向両側が、第１規制壁面６３５ｆａと第２規制壁面６３５ｆｂとによって区画されている。また第２凹部７５Ａは、＋Ｚ方向側が開口している。第１凹部７５Ｂは、Ｘ方向両側が、第３規制壁面６３５ｆｃと第４規制壁面６３５ｆｄとによって区画されている。また第１凹部７５Ｂは、＋Ｚ方向側が開口している。
【００４０】
図８は、ヘッド５４０を説明するための模式図である。図９は、図２の９−９断面図である。ヘッド５４０は、第１種射出口部５４４Ｄと、３つの第２種射出口部５４４Ａ，５４４Ｂ，５４４Ｃとを有する。第１種射出口部５４４Ｄは、ブラックインクを収容する第１カートリッジ１０の第１液体収容室１００と連通する。第１種射出口部５４４Ｄは、第１カートリッジ１０が収容する第１種類の液体を射出する。第２種射出口部５４４Ａは、第２カートリッジ２０の第２液体収容室２００Ａと連通する。第２種射出口部５４４Ｂは、第２カートリッジ２０の第２液体収容室２００Ｂと連通する。第２種射出口部５４４Ｃは、第２カートリッジの第２液体収容室２００Ｃと連通する。第２液体収容室２００Ａはイエローインクを収容し、第２液体収容室２００Ｂはマゼンタインクを収容し、第２液体収容室２００はシアンインクを収容する。つまり、第２種射出口部５４４Ａ〜５４４Ｃは、第２カートリッジ２０が収容する複数種類の液体ごとに設けられ、複数種類の液体の対応するそれぞれの液体を射出する。
【００４１】
図８に示すように、第１種射出口部５４４Ｄと第２種射出口部５４４Ａ，５４４Ｂ，５４４Ｃはそれぞれ、ヘッド５４０の下面５４２に形成された複数の射出口５４６を有する。射出口５４６からは、第１液体供給針６４０Ａ〜第４液体供給針６４０Ｄ、及び、図９に示す流路ＦＬＡ〜ＦＬＤを介してヘッド５４０に供給された液体が、外部の印刷媒体５１５に向けて射出される。
【００４２】
Ａ−３．カートリッジの内部構成およびカートリッジの装着状態の概略説明：
上述の図９に加え、図１０を用いて第１カートリッジ１０，第２カートリッジ２０の内部構成、および、第１カートリッジ１０，第２カートリッジ２０のカートリッジホルダー６０への装着状態の概略について説明する。図１０は、図２の１０−１０断面図である。なお、図１０の一部は模式的に示している。
【００４３】
図９に示すように、第１カートリッジ１０のカートリッジホルダー６０への装着状態では、第１カートリッジ１０の第１液体供給口１８０内に第４液体供給針６４０Ｄが挿入される。これにより、第４液体供給針６４０Ｄを介して第１液体収容室１００からヘッド５４０にブラックインクが供給される。第１液体収容室１００は、液体を吸収して保持するための液体吸収体を有していない。つまり、第１カートリッジ１０は直液タイプのカートリッジである。第１液体収容室１００内には、第１液体収容室１００と液体供給口１８０とを接続する流路を開閉するための弁機構１５０が配置されている。弁機構１５０は、例えば、特開２０１３−２４８７８６号公報の弁と同様の構成である。具体的には、弁機構１５０は、連通孔１４２を塞ぐ弁体１５２を有する。連通孔１４２及び弁体１５２は、第１液体収容室１００と液体供給口１８０とを接続する流路の途中に設けられている。インクは第１液体収容室１００から液体供給口１８０に向けて流れるため、液体供給口１８０側を下流側とする。第１液体収容室１００と液体供給口１８０とを接続する流路は、通常は、弁体１５２が、付勢部材１５５の付勢力を受けて、連通孔１４２を塞ぐことによって、閉じられている。この状態で、弁体１５２よりも下流側の液体が消費され、弁体１５２の下流側の負圧が所定の大きさになったときに、弁体１５２は、付勢部材１５５の付勢力に抗して、連通孔１４２から離れる方向に変位する。弁体１５２が連通孔１４２から離れると、連通孔１４２を介して弁体１５２の上流側の部分から下流側の部分に液体が供給される。弁体１５２よりも下流側の部分に所定量の液体が供給されて、予め定めた圧力（負圧）になると、弁体１５２は付勢部材１５５の付勢力によって連通孔１４２を塞ぐように変位する。なお、第１液体収容室１００は大気と連通しており、液体の消費に伴って第１液体収容室１００に大気が導入される。
【００４４】
第２カートリッジ２０のカートリッジホルダー６０への装着状態では、第２カートリッジ２０の液体供給口２８０内に、対応する液体供給針６４０が挿入される。これにより、液体供給針６４０を介して第２液体収容室２００からヘッド５４０にイエローインク、マゼンタインク、シアンインクが供給される。第２カートリッジ２０は、３種類の液体をそれぞれ収容する３つの第２液体収容室２００を有する。３つの第２液体収容室２００を区別して用いる場合は、第２液体収容室２００Ａ、第２液体収容室２００Ｂ、第２液体収容室２００Ｃを用いる。３つの第２液体収容室２００Ａ〜２００Ｃは、仕切壁２２，２３によって互いの液体が混じり合わないように区画されている。第２液体収容室２００Ａにはイエローインクが収容され、第２液体収容室２００Ｂにはマゼンタインクが収容され、第２液体収容室２００Ｃにはシアンインクが収容されている。３つの第２液体収容室２００Ａ〜第２液体収容室２００Ｃは、それぞれ液体を吸収して保持する液体吸収体２９９を収容している。液体吸収体２９９は、所定の毛管力によって液体を保持するための部材であり、例えばウレタンフォームのような発泡性部材でも、ポリプロピレンを繊維状に加工したものを束ねた繊維部材であってもよい。各液体吸収体２９９は、各液体収容室２００Ａ〜２００Ｃ内の概ね全域に配置されている。第２液体収容室２００Ａ〜第２液体収容室２００Ｃには、第１液体収容室１００と異なり弁機構１５０が設けられていない。第２カートリッジ２０では、液体収容室２００Ａ〜２００Ｃ内の負圧が液体吸収体２９９の毛管力によって維持されるため、弁機構１５０は不要である。なお、各第２液体収容室２００Ａ〜２００Ｃはそれぞれ、上流側部分が大気と連通しており、液体の消費に伴って第２液体収容室２００Ａ〜第２液体収容室２００Ｃには大気が導入される。
【００４５】
液体供給口１８０，２８０Ａ〜２８０Ｃの内部にはそれぞれ、弁機構２８４が配置されている。図１０に示すように、弁機構２８４は、液体供給口１８０，２８０の内部流路を開閉する。弁機構２８４は、液体供給口１８０，２８０の先端側から順に、シール部（弁座）２８７と、弁体２８６と、付勢部材２８５とを備える。シール部２８７は、略円環状の部材である。シール部２８７は、例えば、ゴムやエラストマー等の弾性体によって構成されている。シール部２８７は、液体供給口１８０，２８０の内部に圧入されている。シール部２８７は、装着状態において、液体供給針６４０の外周面に気密に接触することで、液体供給口１８０，２８０と液体供給針６４０との隙間から外部に液体が漏れ出すことを抑制する。弁体２８６は、略円柱状の部材である。弁体２８６は、カートリッジ１０，２０がカートリッジホルダー６０に装着される前の状態（未装着状態）において、付勢部材２８５によってシール部２８７に向かう方向に付勢され、シール部２８７に形成された孔を塞いでいる。すなわち、未装着状態において、弁機構２８４は閉状態である。付勢部材２８５は、圧縮コイルばねである。カートリッジ１０，２０の装着状態では、液体供給針６４０が弁体２８６をシール部２８７から離れる方向に向けて押すことで、弁体２８６がシール部２８７から離れる。これにより、弁機構２８４が開状態になる。
【００４６】
図１０に示すように、第２カートリッジ２０の装着状態では、第２カートリッジ２０の係合部材２３０は、装置側係合部６３２Ａの下側の面６３３に係止される。面６３３は、−Ｚ方向を向く面である。係合部材２３０は、第２カートリッジ２０を第２装着部６０２Ｔに着脱するために利用者によって操作される部材であり、弾性を有するレバーである。係合部材２３０は、面６３３に係止されるカートリッジ側係合部２３５を有する。装着状態では第２カートリッジ２０のカートリッジ側係合部２３５が装置側係合部６３２Ａの面６３３に係止される。
【００４７】
Ａ−４．第１カートリッジ１０の詳細構成：
図１１は、第１カートリッジ１０の第１斜視図である。図１２は、第１カートリッジ１０の第２斜視図である。第１カートリッジ１０のカートリッジホルダー６０への装着方向は−Ｚ方向であり、取り外し方向は＋Ｚ方向である。
【００４８】
図１１及び図１２に示すように、第１カートリッジ１０の外観形状は略長方体形状である。第１カートリッジ１０の外表面を形成する第１外殻１２は６つの面を備える。６つの面は、底面１４、上面１３、第１側面としての正面１６、第２側面としての背面１５、第３側面としての左側面１７、第４側面としての右側面１８である。６つの面１３〜１８は、第１カートリッジ１０の外殻１２を構成する。各面１３〜１８は、平面状である。平面状とは、面全域が完全に平坦である場合と、面の一部に凹凸を有する場合を含む。つまり、面の一部に多少の凹凸があっても良い。各面１３〜１８の平面視における外形は、いずれも略長方形である。また各面１３〜１８はそれぞれ壁としても捉えることができ、この壁は、単一の壁によって形成されている必要はなく、複数の壁によって形成されていても良い。
【００４９】
第１カートリッジ１０は、１種類の液体、本実施形態ではブラックインクを収容する第１液体収容室１００を有する。第１液体収容室１００が収容する１種類の液体は、顔料インクである。顔料インクは、水などの分散媒に顔料を分散させたインクである。なお、インクは顔料インクに限られず染料インクなどの他の種類のインクを用いてもよい。
【００５０】
上面１３と底面１４はＺ方向において対向する。上面１３は＋Ｚ方向側に位置し、底面１４は−Ｚ方向側に位置する。図４に示すように、装着状態において底面１４は、カートリッジホルダー６０の装置側底壁部６０１と向かい合う。上面１３および底面１４は、装着状態において水平な面である。上面１３および底面１４は、背面１５，正面１６，左側面１７，右側面１８と略直角に交わる。上面１３および底面１４は、Ｘ方向とＹ方向に平行な面である。上面１３および底面１４は、Ｚ方向と直交する面である。Ｘ方向とＹ方向に平行な面をＸＹ平面としたとき、上面１３および底面１４は、ＸＹ平面に平行な面である。
【００５１】
背面１５と正面１６とはＹ方向において対向する。背面１５は−Ｙ方向側に位置し、正面１６は＋Ｙ方向側に位置する。装着状態において、背面１５は、図４に示すカートリッジホルダー６０の第１装置側側壁部６０３と向かい合う。装着状態において、正面１６は、カートリッジホルダー６０の第２装置側側壁部６０４と向かい合う。背面１５および正面１６は、装着状態において垂直な面である。背面１５および正面１６は、上面１３，底面１４，右側面１８，左側面１７と略直角に交わる。背面１５および正面１６は、Ｘ方向とＺ方向に平行な面である。背面１５および正面１６は、Ｙ方向と直交する面である。Ｘ方向とＺ方向に平行な面をＸＺ平面としたとき、背面１５および正面１６は、ＸＺ平面に平行な面である。
【００５２】
左側面１７と右側面１８はＸ方向において対向する。左側面１７は＋Ｘ方向側に位置し、右側面１８は−Ｘ方向側に位置する。装着状態において、左側面１７は、図４に示すカートリッジホルダー６０の第３装置側側壁部６０５と向かい合う。装着状態において、右側面１８は、第２カートリッジ２０と向かい合う。左側面１７および右側面１８は、装着状態において垂直な面である。左側面１７および右側面１８は、上面１３，底面１４，背面１５，正面１６と略直角に交わる。左側面１７および右側面１８は、Ｙ方向とＺ方向に平行な面である。左側面１７および右側面１８は、Ｘ方向と直交する面である。Ｙ方向とＺ方向に平行な面をＹＺ平面としたとき、左側面１７および右側面１８は、ＹＺ平面に平行な面である。
【００５３】
第１カートリッジ１０の、Ｙ方向の寸法である長さ、Ｘ方向の寸法である幅、Ｚ方向の寸法である高さは、長さ、高さ、幅の順に大きい。なお、第１カートリッジ１０の長さ、幅、高さの大小関係は任意に変更可能であり、例えば、高さ、長さ、幅の順に大きくても良いし、高さ、長さ、幅がそれぞれ等しくても良い。
【００５４】
図１１に示すように、底面１４には、１つの液体供給口１８０が突出して配置されている。液体供給口１８０は、略円筒形状である。液体供給口１８０は、Ｚ方向に沿った中心軸ＣＴを有する。図９に示すように、第１カートリッジ１０がキャリッジ５２０に装着された装着状態において、液体供給口１８０には、図２に示す第４液体供給針６４０Ｄが挿入される。液体供給口１８０の端面には第１液体収容室１００のインクを外部に向けて流通させるための開口１８８が形成されている。液体噴射装置５０の第１装着部６０２Ｗに装着される前の第１カートリッジ１０では、開口１８８がフィルム１８３で塞がれている。フィルム１８３は、第１装着部６０２Ｗに第１カートリッジ１０が装着されるときに、液体供給針６４０Ｄによって破られるように構成されている。
【００５５】
図１２に示すように、背面１５の、上面１３よりも底面１４に近い位置には第１基板としての第１回路基板３０が設けられている。
【００５６】
第１回路基板３０の構成は、後述する第２カートリッジ２０の第２基板としての第２回路基板４００と同様である。第１回路基板３０の表面には、９つの接触部ｃｐを形成する９つのカートリッジ側端子３１が形成されている。９つのカートリッジ側端子３１のそれぞれは、装着状態において第１接点機構７０Ｂの第１装置側端子群７９９Ｂと接触する。これにより、第１回路基板３０は、液体噴射装置５０の制御部５１０と電気的に接続される。また、第１回路基板３０の裏面には、書き換え可能なメモリーである第１記憶装置３２０が設けられている。第１記憶装置３２０には、第１カートリッジ１０に関する情報が記憶されている。第１カートリッジ１０に関する情報としては、例えば、収容する液体の種類を表す情報、収容する液体の量を表す情報、液体の消費量を表す情報、第１カートリッジ１０の製造年月日を表す情報、第１カートリッジ１０の消費期限を表す情報がある。
【００５７】
また、背面１５の、第１回路基板３０よりも上面１３側には、レバーとしての係合部材１２０が設けられている。係合部材１２０は、−Ｚ方向側の端部が背面１５に接続され、−Ｚ方向側の端部を中心としてＹ方向成分を有する方向に弾性変形する。この弾性変形は、第１カートリッジ１０のカートリッジホルダー６０への着脱に利用される。係合部材１２０は、装置側係合部６３２Ｄの下側の面６３３に係止されるカートリッジ側係合部１２２を有する。カートリッジ側係合部１２２は、係合部材１２０の本体から−Ｙ方向側に突出する突起である。
【００５８】
図１１に示すように、右側面１８には大気導入口１９が形成されている。大気導入口１９は、第１液体収容室１００に大気を導入するための開口である。
【００５９】
Ａ−５．第２カートリッジ２０の詳細構成：
図１３は、第２カートリッジ２０の第１斜視図である。図１４は、第２カートリッジ２０の第２斜視図である。図１５は、第２カートリッジ２０の上面図である。図１６は、第２カートリッジ２０の底面図である。図１７は、第２カートリッジ２０の背面図である。図１８は、第２カートリッジ２０の正面図である。図１９は、第２カートリッジ２０の左側面図である。図２０は、第２カートリッジ２０の右側面図である。図２１は、第２回路基板４００の正面図である。図２２は、第２回路基板４００の側面図である。第２カートリッジ２０は、図２に示すように、第１カートリッジ１０とＸ方向に並んでキャリッジ５２０に装着される。第１カートリッジ１０の場合と同様、第２カートリッジ２０のカートリッジホルダー６０への装着方向は−Ｚ方向であり、取り外し方向は＋Ｚ方向である。第２カートリッジ２０は、内部の液体の消費に伴って大気導入口から内部に大気が導入される。
【００６０】
図１３に示すように第２カートリッジ２０のＹ方向の寸法である長さ、Ｘ方向の寸法である幅、Ｚ方向の寸法である高さは、長さ、高さ、幅の順に大きい。なお、第２カートリッジ２０の長さ、幅、高さの大小関係は任意に変更可能であり、例えば、高さ、長さ、幅の順に大きくても良いし、高さ、長さ、幅がそれぞれ等しくても良い。また第２カートリッジ２０は、第１カートリッジ１０よりもＸ方向の寸法が大きい。
【００６１】
図１３および図１４に示すように、第２カートリッジ２０の外観形状は略直方体形状である。第２カートリッジ２０の外殻２１は６つの面を備える。６つの面は、底面２０１、上面２０２、正面としての第１側面２０４、背面としての第２側面２０３、左側面としての第３側面、右側面としての第４側面２０６である。６つの面２０１〜２０６は、第２カートリッジ２０の外殻２１を構成する。各面２０１〜２０６は、平面状である。平面状とは、面全域が完全に平坦である場合と、面の一部に凹凸を有する場合を含む。つまり、面の一部に多少の凹凸があっても良い。各面２０１〜２０６の平面視における外形は、いずれも略長方形である。
【００６２】
図１５に示すように、第２カートリッジ２０は、内部に上述した複数種類の液体、本実施形態ではイエローインク、マゼンタインク、シアンインクの１種類ずつをそれぞれ収容する３つの第２液体収容室２００Ａ，２００Ｂ，２００Ｃを有する。第２カートリッジ２０が収容する液体は染料インクである。
【００６３】
図１９に示すように、底面２０１と上面２０２とはＺ方向において対向する。底面２０１は−Ｚ方向側に位置し、上面２０２は＋Ｚ方向側に位置する。装着状態において底面２０１は、カートリッジホルダー６０の装置側底壁部６０１と向かい合う。底面２０１および上面２０２は、装着状態において水平な面である。底面２０１および上面２０２は、第１側面２０４，第２側面２０３，第３側面２０５，第４側面２０６と略直角に交わる。底面２０１および上面２０２は、Ｘ方向とＹ方向に平行な面である。底面２０１および上面２０２は、Ｚ方向と直交する面である。Ｘ方向とＹ方向に平行な面をＸＹ平面としたとき、底面２０１および上面２０２は、ＸＹ平面に平行な面である。
【００６４】
図１５に示すように、第１側面２０４と第２側面２０３とはＹ方向において対向する。第１側面２０４は＋Ｙ方向側に位置し、第２側面２０３は−Ｙ方向側に位置する。装着状態において、装着状態において、第１側面２０４は、カートリッジホルダー６０の第２装置側側壁部６０４と向かい合う。第２側面２０３は、カートリッジホルダー６０の第１装置側側壁部６０３と向かい合う。第１側面２０４および第２側面２０３は、装着状態において垂直な面である。第１側面２０４および第２側面２０３は、底面２０１，上面２０４，第３側面２０５，第４側面２０６と略直角に交わる。第１側面２０４および第２側面２０３は、Ｘ方向とＺ方向に平行な面である。第１側面２０４および第２側面２０３は、Ｙ方向と直交する面である。Ｘ方向とＺ方向に平行な面をＸＺ平面としたとき、第１側面２０４および第２側面２０３は、ＸＺ平面に平行な面である。
【００６５】
図１５に示すように、第３側面２０５と第４側面２０６とはＸ方向において対向する。第３側面２０５は＋Ｘ方向側に位置し、第４側面２０６は−Ｘ方向側に位置する。装着状態において、第３側面２０５は、第１カートリッジ１０と向かい合う。装着状態において、第４側壁２０６は、カートリッジホルダー６０の第４装置側側壁部６０６（図４）と向かい合う。第３側面２０５および第４側面２０６は、底面２０１，上面２０２，第１側面２０４，第２側面２０３と略直角に交わる。第３側面２０５および第４側面２０６は、Ｙ方向とＺ方向に平行な面である。第３側面２０５および第４側面２０６は、Ｘ方向と直交する面である。Ｙ方向とＺ方向に平行な面をＹＺ平面としたとき、第３側面２０５および第４側面２０６は、ＹＺ平面に平行な面である。
【００６６】
図１３および図１７に示すように、第２カートリッジ２０は、第２側面２０３上に、第２回路基板４００と係合部材２３０とを有する。
【００６７】
第２側面２０３は、第１面部２４２と、第２面部２４１と、突出面部２４５とを有する。突出面部２４５は、第１面部２４２および第２面部２４１よりもカートリッジホルダー６０側に突出した部分である。突出面部２４５の壁の厚みは、第１面部２４２と第２面部２４１の壁の厚みよりも大きく、第１面部２４２および第２面部２４１よりも剛性が高い。突出面部２４５は、Ｘ方向において第１面部２４２と第２面部２４１との間に設けられた第１突出面部２４６と、第１突出面部２４６の＋Ｚ方向側端部に接続された第２突出面部２４７とを有する。第１面部２４２は、第１突出面部２４６よりもＸ方向の一方方向側である−Ｘ方向側に位置する。第２面部２４１は、第１突出面部２４６よりもＸ方向の他方方向側である＋Ｘ方向側に位置する。
【００６８】
第１突出面部２４６は、底面２０１と第２側面２０３とが交わる部分から第２カートリッジ２０のＺ方向における略中央付近までを＋Ｚ方向に延びる。第１突出面部２４６は、略長方形状の部材である。第２カートリッジ２０の装着状態において、第１突出面部２４６は、第１規制部６３５Ａと第２規制部６３５Ｂとに間に配置される。第１突出面部２４６上には、第２回路基板４００が設けられている。第２回路基板４００の表面４００ｆａには、第２装着部６０２Ｔの装置側端子群７９９と接触する複数の接触部ｃｐが配置されている。表面４００ｆａは、複数の接触部ｃｐを配置する配置部として機能する。第２回路基板４００の詳細については後述する。
【００６９】
第１突出面部２４６は、第１面部２４２側に位置する第１側部２４６Ｂと、第２面部２４１側に位置する第２側部２４６Ａとを有する。第１側部２４６Ｂは、第１突出面部２４６の第１面部２４２側の側面を形成し、−Ｘ方向を向く部分である。第２側部２４６Ａは、第１突出面部２４６の第２面部２４１側の側面を形成し、＋Ｘ方向を向く部分である。
【００７０】
第２突出面部２４７は、Ｘ方向に沿って延びる略直方体形状の部分である。第２突出面部２４７には、係合部材２３０の基端部２３１が接続されている。
【００７１】
図１７に示すように、第２回路基板４００は、第１突出面部２４６に設けられている。第２回路基板４００は、＋Ｚ方向側の端部に形成されたボス溝４０１と、−Ｚ方向側の端部に形成されたボス孔４０２とを有する。第２回路基板４００は、ボス溝４０１およびボス孔４０２を用いて、カートリッジ２０の第１突出面部２４６に固定されている。
【００７２】
図２２に示すように、第２回路基板４００は、配置部としての表面４００ｆａに設けられたカートリッジ側端子群４９９と、裏面４００ｆｂに設けられた第２記憶装置４２０とを有する。
【００７３】
カートリッジ側端子群４９９は、９つのカートリッジ側端子４３１〜４３９からなる。第２記憶装置４２０は、第２カートリッジ２０に関する情報を記憶されている。第２カートリッジ２０に関する情報としては、例えば、収容する液体の種類を表す情報、収容する液体の量を表す情報、液体の消費量を表す情報、第２カートリッジ２０の製造年月日を表す情報、第２カートリッジ２０の消費期限を表す情報がある。
【００７４】
図２１に示すように、９つのカートリッジ側端子４３１〜４３９はそれぞれ略矩形状に形成され、装着方向である−Ｚ方向と略垂直な列を２列形成するように配置されている。略垂直な列は、第２カートリッジ２０の幅方向に延びる列である。２つの列のうち、装着方向の奥側の列を第１の端子列ＲＮ１と呼び、装着方向の手前側の列を第２の端子列ＲＮ２（とも呼ぶ。すなわち、第１の端子列ＲＮ１と第２の端子列ＲＮ２とは、Ｚ方向の位置が異なる。詳細には、第１の端子列ＲＮ１は、第２の端子列ＲＮ２よりも−Ｚ方向側に位置する。各端子４３１〜４３９のそれぞれの中央部には、接点機構７０Ａの装置側端子群７９９Ａに接触する接触部ｃｐが存在する。上記の第１と第２の端子列ＲＮ１，ＲＮ２は複数の接触部ｃｐによって形成される列であると考えることもできる。
【００７５】
各カートリッジ側端子４３１〜４３９は、機能または用途からそれぞれ以下のように呼ぶことができる。また、液体噴射装置５０側の端子との区別を明確にするために、各名称の前に「カートリッジ側」を付して呼ぶこともできる。例えば、「接地端子４３７」は「カートリッジ側接地端子４３７」と呼ぶこともできる。
＜第１の端子列ＲＮ１＞
（１）装着検出端子（第１の端子）４３５
（２）電源端子４３６
（３）接地端子４３７
（４）データ端子４３８
（５）装着検出端子（第２の端子）４３９
＜第２の端子列ＲＮ２＞
（６）装着検出端子（第３の端子）４３１
（７）リセット端子４３２
（８）クロック端子４３３
（９）装着検出端子（第４の端子）４３４
【００７６】
第１の端子列ＲＮ１を形成する端子４３５〜４３９の各接触部ｃｐと、第２の端子列ＲＮ２を形成する端子４３１〜４３４の各接触部ｃｐは、互い違いに配置されている。本実施形態では、各接触部ｃｐはいわゆる千鳥状に配置されている。
【００７７】
４つの装着検出端子４３１，４３４，４３５，４３９は、接点機構７０Ａに設けられた対応する装置側端子群７９９の端子との電気的接触の良否を検出することで、カートリッジ２０がカートリッジホルダー６０の設計された装着位置に正しく装着されたか否かを液体噴射装置５０によって検出するために用いられる。よって、４つの装着検出端子４３１，４３４，４３５，４３９は、「装着検出端子群」とも呼ぶことができる。本実施形態では、４つのカートリッジ側端子４３１，４３４，４３７，４３９は、第２回路基板４００の内部で相互に電気的に接続されており、第２カートリッジ２０がカートリッジホルダー６０に装着された際に、接地端子４３７を通じて液体噴射装置５０側の図示しない接地ラインに電気的に接続される。
【００７８】
他の５つのカートリッジ側端子４３２，４３３，４３６，４３７，４３８は、第２記憶装置４２０用の端子である。よって、５つの端子４３２，４３６，４３７，４３８は、「メモリー端子群」とも呼ぶことができる。
【００７９】
リセット端子４３２は、第２記憶装置４２０に対するリセット信号ＲＳＴの供給を受け付ける。クロック端子４３３は、第２記憶装置４２０に対するクロック信号ＳＣＫの供給を受け付ける。電源端子４３６は、第２記憶装置４２０に対する電源電圧ＶＤＤ（例えば、定格３．３Ｖ）の供給を受け付ける。接地端子４３７は、第２記憶装置４２０に対する接地電圧ＶＳＳの供給を受け付ける。データ端子４３８は、第２記憶装置４２０に対するデータ信号ＳＤＡの供給を受け付ける。
【００８０】
装着検出端子群の１つである第１の端子４３５は、カートリッジ側端子群４９９のうちで最も−Ｘ方向側に位置する第１の外側部分４３５Ｐを含む。装着検出端子群の１つである第２の端子４３９は、カートリッジ側端子群４９９のうちで最も＋Ｘ方向側に位置する第２の外側部分４３９Ｐを含む。装着検出端子群の１つである第３の端子４３１は、第２の端子列ＲＮ２のうちで最も−Ｘ方向側に位置する第３の外側部分４３１Ｐを含む。装着検出端子群である第４の端子４３４は、第２の端子列ＲＮ２のうちで最も＋Ｘ方向側に位置する第４の外側部分４３４Ｐを含む。
【００８１】
図１７に示すように、第２回路基板４００の複数の接触部ｃｐは、第２側面２０３上の、上面２０２よりも底面２０１に近い位置にＸ方向に並べて配置されている。Ｘ方向に並ぶとは、複数の接触部ｃｐがＸ方向に異なる位置に配置されていることをいう。
【００８２】
図１３および図１７に示すように、レバーとしての係合部材２３０は、第２側面２０３上の接触部ｃｐの上面２０２側に設けられている。係合部材２３０は、−Ｚ方向側の第１端部２３１と、＋Ｚ方向側の第２端部２３２と、第１端部２３１と第２端部２３２との間に位置するカートリッジ側係合部２３５とを有する。第１端部２３１は、第２側面２０３の第２突出面部２４７に接続されている。係合部材２３０は、第１端部２３１を中心として、第２端部２３２側が第２側面２０３に近づいたり遠ざかったりするように、Ｙ方向成分を有する方向に弾性変形する。この弾性変形は、第２カートリッジ２０のカートリッジホルダー６０への着脱に利用される。
【００８３】
図１４に示すように、第２カートリッジ２０は、底面２０１に設けられた、液体供給部２８９を有する。液体供給部２８９は、３つの液体供給口２８０Ａ，２８０Ｂ，２８０Ｃと、液体供給口２８０Ａ，２８０Ｂ，２８０Ｃのそれぞれに対応して設けられた３つの周囲部材２８３Ａ，２８３Ｂ，２８３Ｃと、を有する。３つの液体供給口２８０Ａ，２８０Ｂ，２８０Ｃを区別することなく用いる場合は符号「２８０」を用いる。３つの周囲部材２８３Ａ，２８３Ｂ，２８３Ｃを区別することなく用いる場合は符号「２８３」を用いる。
【００８４】
３つの液体供給口２８０Ａ，２８０Ｂ，２８０Ｃのそれぞれは、円筒形状であり、−Ｚ方向側が底面２０１から突出し、＋Ｚ方向側が外殻２１の内部に位置する。３つの液体供給口２８０Ａ，２８０Ｂ，２８０Ｃは、Ｘ方向に並べて配置されている。３つの液体供給口２８０Ａ，２８０Ｂ，２８０Ｃのそれぞれの内部には、図１０に示す弁機構２８４が配置されている。
【００８５】
図１４に示すように、液体供給口２８０Ａ，２８０Ｂ，２８０Ｃはそれぞれ、−Ｚ方向側端部に開口２８８を有する。開口２８８は円形である。なお、液体供給口２８０は円筒でなくてもよいし、開口２８８は円形でなくてもよい。液体供給口２８０は、液体供給針６４０が挿入できる形状であればよい。
【００８６】
図９に示すように、第２カートリッジ２０がキャリッジ５２０に装着された装着状態において、液体供給口２８０Ａ，２８０Ｂ，２８０Ｃには、カートリッジホルダー６０の第２側着部６０２Ｔに設けられた液体供給針６４０Ａ，６４０Ｂ，６４０Ｃが挿入される。すなわち、第２カートリッジ２０がキャリッジ５２０に装着された装着状態において、液体供給口２８０Ａ，２８０Ｂ，２８０Ｃは、液体供給針６４０Ａ，６４０Ｂ，６４０Ｃを受け入れる。図１４に示すように、第２装着部６０２Ｔに装着される前の第２カートリッジ２０では、開口２８８がフィルムＦＭで塞がれている。フィルムＦＭは、第２装着部６０２Ｔに第２カートリッジ２０が装着されるときに、液体供給針６４０Ａ，６４０Ｂ，６４０Ｃによって破られるように構成されている。
【００８７】
図１５に示すように、液体供給口２８０Ａは、イエローインクを収容する第２液体収容室２００Ａと連通し、第２液体収容室２００Ａのイエローインクを液体供給針６４０Ａに供給する。液体供給口２８０Ｂは、マゼンタインクを収容する第２液体収容室２００Ｂと連通し、第２液体収容室２００Ｂのマゼンタインクを液体供給針６４０Ｂに供給する。液体供給口２８０Ｃは、シアンインクを収容する第２液体収容室２００Ｃと連通し、第２液体収容室２００Ｃのシアンインクを液体供給針６４０Ｃに供給する。
【００８８】
図１４に示すように、周囲部材２８３Ａ，２８３Ｂ，２８３Ｃは、底面２０１から−Ｚ方向に突出する部材である。周囲部材２８３Ａは、液体供給口２８０Ａの外周面からＹ方向両側に突出する。周囲部材２８３Ｂは、液体供給口２８０Ｂの外周面からＹ方向両側に突出する。周囲部材２８３Ｃは、液体供給口２８０Ｃの外周面からＹ方向両側に突出する。
【００８９】
図１３に示したように、第２側面２０３に第１面部２４２、第２面部２４１、および、突出面部２４５が設けられているので、第２側面２０３を凹凸構造にできる。これにより、第２側面２０３の剛性を高くできる。また、第２側面２０３のうちでより剛性の高い突出面部２４５に第２回路基板４００を設けることで、外力によって突出面部２４５が変形する可能性を低減できる。よって、第２カートリッジ２０の装着状態における、第２回路基板４００の表面４００ｆａに設けられた接触部ｃｐの位置の変動を抑制できるので、第２回路基板４００の接触部ｃｐと装置側端子群７９９との接触を良好に維持することが可能性となる。
【００９０】
また、より剛性の高い突出面部２４５に係合部材２３０が設けられることで、外力によって突出面部２４５が変形する可能性を低減できる。これにより、係合部材２３０へ過度な負荷がかかる可能性を低減することができ、係合部材２３０の変形やカートリッジ側係合部２３５と装置側係合部６３２Ａとの係止位置のずれを低減できる。よって、第２回路基板４００の接触部ｃｐと第２装置側端子群７９９Ａとの接触を良好に維持することが可能となる。
【００９１】
図２３は、第２カートリッジ２０の装着状態における第２回路基板４００近傍を示す模式図である。第１突出面部２４６の第１側部２４６Ｂと第２側部２４６Ａとは、第１規制部６３５Ａと第２規制部６３５Ｂとの間に位置する。つまり、第１突出面部２４６は、第１規制部６３５Ａと第２規制部６３５ＢによってＸ方向に挟まれた位置に配置されている。言い換えれば、第２回路基板４００は、第２凹部７５Ａ内に配置される。これにより、装着状態において、第２回路基板４００がＸ方向に動くことを規制できるので、接触部ｃｐの位置の変動を抑制できる。よって、第２回路基板４００の接触部ｃｐと第２装置側端子群７９９Ａとの接触を良好に維持することができる。また、第１回路基板３０は、装着状態において第１凹部７５Ｂ内に配置される。これにより、第１回路基板３０がＸ方向に動くことを規制できるので、接触部ｃｐの位置の変動を抑制できる。よって、第１回路基板３０の接触部ｃｐと第１装置側端子群７９９Ｂとの接触を良好に維持することができる。
【００９２】
Ｂ．互換性を有する液体収容体セットおよび液体収容体について：
以降に、上記第１カートリッジ１０や第２カートリッジ２０と互換性を有する液体収容体セットや液体収容体について説明する。以降に説明する液体収容体については内部に液体を収容できれば、直液タイプであっても液体吸収体を有するタイプであってもよい。
【００９３】
Ｂ−１．第２実施形態：
図２４は、第２実施形態の液体収容体セットを説明するための第１の図である。図２５は、第２実施形態の液体収容体セットを説明するための第２の図である。図２６は、第２実施形態の液体収容体セットを説明するための第３の図である。第１実施形態の第２カートリッジ２０と同様の構成については同一符号を付すと共に適宜説明を省略する。
【００９４】
液体収容体セット２０ａは、第２カートリッジ２０と互換性を有し、装着部６０２の第２装着部６０２Ｔに着脱できる。液体収容体セット２０ａは、別体に構成された３つの液体収容体２０Ａ，２０Ｂ，２０Ｃを備える。３つの液体収容体２０Ａ，２０Ｂ，２０Ｃのうち、基板である回路基板４００が設けられていない液体収容体２０Ａ，２０Ｃを第１種液体収容体２０Ａ，２０Ｃとも呼び、回路基板４００が設けられている液体収容体２０Ｂを第２種液体収容体２０Ｂとも呼ぶ。第１種液体収容体２０Ａ，２０Ｃと第２種液体収容体２０Ｂとはそれぞれ、独立して装着部６０２に着脱できる。
【００９５】
第１種液体収容体２０Ａ，２０Ｃのうち、一方を一方側液体収容体２０Ａとも呼び、他方を他方側液体収容体２０Ｃとも呼ぶ。一方側液体収容体２０Ａと他方側液体収容体２０Ｃは、収容する液体の種類が異なるのみで他の構成は同じである。一方側液体収容体２０Ａはイエローインクを収容し、他方側液体収容体２０Ｃはシアンインクを収容する。一方側液体収容体２０Ａの外殻２１Ａと、他方側液体収容体２０Ｃの外殻２１Ｃとはそれぞれ、略直方体形状である。
【００９６】
一方側液体収容体２０Ａは、外殻２１Ａを形成する第１面２０１Ａ〜第６面２０６Ａを有する。各面２０１Ａ〜２０６Ａは、平面状である。平面状とは、面全域が完全に平坦である場合と、面の一部に凹凸を有する場合を含む。第１面２０１Ａは底面を構成し、第２面２０２Ａは上面を構成し、第３面２０３Ａは背面を構成し、第４面２０４Ａは正面を構成し、第５面２０５Ａは左側面を構成し、第６面２０６Ａは右側面を構成する。第３面２０３Ａを第１側面２０３Ａとも呼び、第４面２０４Ａを第２側面２０４Ａとも呼ぶ。
【００９７】
第１面２０１Ａと第２面２０２ＡとはＺ方向に対向する。第１面２０１Ａは−Ｚ方向側に位置し、第２面２０２Ａは＋Ｚ方向側に位置する。第１側面２０３Ａと第２側面２０４ＡとはＹ方向に対向する。第１側面２０３Ａは−Ｙ方向側に位置し、第２側面２０４Ａは＋Ｙ方向側に位置する。第５面２０５Ａと第６面２０６ＡとはＸ方向に対向する。第５面２０５Ａは＋Ｘ方向側に位置し、第６面２０６Ｃは−Ｘ方向側に位置する。第１面２０１Ａには、内部の液体を外部に流出させるための液体供給口２８０が設けられている。
【００９８】
他方側液体収容体２０Ｃは、外殻２１Ｃを形成する第１面２０１Ｃ〜第６面２０６Ｃを有する。他方側液体収容体２０Ｃの形状は一方側液体収容体２０Ａと同様の形状であるため説明を省略する。
【００９９】
第２種液体収容体２０Ｂは、外殻２１Ｂを形成する第１面２０１Ｂ〜第６面２０６Ｂを有する。各面２０１Ｂ〜２０６Ｂは、平面状である。平面状とは、面全域が完全に平坦である場合と、面の一部に凹凸を有する場合を含む。第１面２０１Ｂは底面を構成し、第２面２０２Ｂは上面を構成し、第３面２０３Ｂは背面を構成し、第４面２０４Ｂは正面を構成し、第５面２０５Ｂは左側面を構成し、第６面２０６Ｂは右側面を構成する。第３面２０３Ｂを第１側面２０３Ｂとも呼び、第４面２０４Ｂを第２側面２０４Ｂとも呼ぶ。第１側面２０３Ｂには回路基板４００が配置されている。
【０１００】
第１面２０１Ｂと第２面２０２ＢとはＺ方向に対向する。第１面２０１Ｂは−Ｚ方向側に位置し、第２面２０２Ｂは＋Ｚ方向側に位置する。第１側面２０３Ｂと第２側面２０４ＢとはＹ方向に対向する。第１側面２０３Ｂは−Ｙ方向側に位置に位置し、第２面２０４Ｂは＋Ｙ方向側に位置する。第５面２０５Ｂと第６面２０６ＢとはＸ方向に対向する。第５面２０５Ｂは＋Ｘ方向側に位置し、第６面２０６Ｂは−Ｘ方向側に位置する。
【０１０１】
第１面２０１Ｂには、内部の液体を外部に流出させるための液体供給口２８０が設けられている。第１側面２０３Ｂは、突出部２４５Ｂの−Ｙ方向側の面を形成する。突出部２４５Ｂは、第２カートリッジ２０の突出面部２４５に相当する。突出部２４５Ｂは、第４面２０４ＢとＹ方向に対向する平面である接続面２０９から−Ｙ方向に突出した部分である。この突出部２４５Ｂによって、Ｙ方向について、第２種液体収容体２０Ｂの第１側面２０３Ｂと第２側面２０４Ｂとの距離Ｄ２は、第１種液体収容体２０Ａ，２０Ｃの第１側面２０３Ａ，２０３Ｃと第２側面２０４Ａ、２０４Ｃとの距離Ｄ１よりも大きい。なお、突出部２４５Ｂは、Ｚ方向において第１面２０１Ｂ側から第２面２０２Ｂ側に亘って形成してもよい。また第１種液体収容体２０Ａ，２０Ｃと第２種液体収容体２０Ｂとの一つは、図１３に示す係合部材２３０を有していてもよい。なお、係合部材２３０を有さない場合でも、装着部６０２と、第１種液体収容体２０Ａ，２０Ｃや第２種液体収容体２０Ｂとの摩擦などによって、第１種液体収容体２０Ａ，２０Ｃや第２種液体収容体２０Ｂの装着部６０２の装着状態は維持可能である。
【０１０２】
回路基板４００の記憶装置４２０には、２以上の液体収容体、つまり本実施形態では第１種液体収容体２０Ａ，２０Ｃおよび第２種液体収容体２０Ｂに関する情報が記憶されている。この情報は、例えば、第１種液体収容体２０Ａ，２０Ｃおよび第２種液体収容体２０Ｂのそれぞれにおける、収容する液体の種類を表す情報、収容する液体の量を表す情報、液体の消費量を表す情報、製造年月日を表す情報、消費期限を表す情報である。
【０１０３】
図２６に示すように、第２種液体収容体２０Ｂが第２装着部６０２Ｔに装着された状態において、回路基板４００は第２凹部７５Ａ内に配置される。つまり、回路基板４００が突出部２４５Ｂの−Ｙ方向側の面２０３Ｂに配置されることで、回路基板４００は第２凹部７５Ａ内に配置される。これにより、装着状態において、第２回路基板４００がＸ方向に動くことを規制できるので、接触部ｃｐの位置の変動を抑制できる。よって、接触部ｃｐと第２装置側端子群７９９Ａとの接触を良好に維持することができる。
【０１０４】
第２実施形態における記憶装置４２０と図１に示す制御部５１０との情報のやり取りについて以下に説明する。３つの液体収容体２０Ａ，２０Ｂ，２０Ｃのいずれかの液体量がゼロまたはゼロに近くなり、液体量がゼロまたはゼロに近くなった液体収容体を装着部６０２から取り外して新たな液体収容体を装着した場合、以下の情報のやり取りが行われる。例えば、液体が消費された液体収容体２０Ａを取り外し、新たな液体収容体２０Ａが装着部６０２に装着された場合を以下に記載する。ここで、液体が消費された液体収容体２０Ａを旧液体収容体２０Ａ１とも呼び、新たな液体収容体２０Ａを新液体収容体２０Ａ２とも呼ぶ。
【０１０５】
まず、新液体収容体２０Ａ２が装着部６０２に装着された場合、記憶装置４２０に記憶されていた旧液体収容体２０Ａ１に関する情報、例えば液体の消費量をリセットする。このリセットは、例えば、利用者が液体噴射装置５０の入力を受け付けるボタンやタッチパネルを介してリセットの指示を制御部５１０に入力することで、制御部５１０が実行してもよい。またこのリセットは、例えば、新液体収容体２０Ａ２から記憶装置４２０に対してリセット信号を送信することで実行してもよい。新液体収容体２０Ａ２からリセット信号を送信する場合には、新液体収容体２０Ａ２は、装着状態において記憶装置４２０と電気的に接続されるリセット信号を送信する回路を有する。次に、制御部５１０は、新液体収容体２０Ａ２の液体消費量を計測する。液体消費量の計測は、ヘッド５４０から吐出された新液体収容体２０Ａ２の液滴数をカウントしたり、ヘッド５４０に供給された液体量を計測したりすることで行われる。また、予め定めたタイミングで、記憶装置４２０に記憶されている新液体収容体２０Ａ２に収容されている液体収容量を制御部５１０が読み出し、読み出した液体量から計測した液体消費量を減ずることで、現時点の液体量を算出する。そして制御部５１０は算出した液体収容量を記憶装置４２０に書き込む。制御部５１０は液体収容量が予め定めた閾値を下回った場合に、利用者に液体収容量が閾値を下回った液体収容体、例えば新液体収容体２０Ａ２の交換を報知する。この報知は、例えば、液体噴射装置５０のモニターや、液体噴射装置５０に電気的に接続されたモニターに交換を促す旨の表示を行うことで行われる。
【０１０６】
また、記憶装置４２０に記憶されている、第１種液体収容体２０Ａ，２０Ｃに関する情報は予め定めたタイミングで制御部５１０が読み出して記憶してもよい。こうすることで、記憶装置４２０を有する第２種液体収容体２０Ｂが取り外され、新たな第２種液体収容体２０Ｂが装着部６０２に装着された場合、以下の処理を実行できる。つまり、制御部５１０は、装着部６０２に装着されている第１種液体収容体２０Ａ，２０Ｃに関する情報を、新たな第２種液体収容体２０の記憶装置４２０に書き込むことができる。なお、新たな第２種液体収容体２０Ｂに関する情報は、新たな第２種液体収容体２０Ｂの記憶装置４２０に予め記憶されている。
【０１０７】
上記第２実施形態によれば、２以上の液体収容体２０Ａ，２０Ｂ，２０Ｃが別体に構成されているため、２以上の液体収容体２０Ａ，２０Ｂ，２０Ｃのそれぞれを独立して新たな液体収容体に交換できる。これにより、液体収容体セット２０ａの液体を有効に利用することができる。またこれにより、個々の液体収容体２０Ａ，２０Ｂ，２０Ｃの汎用性の低下を抑制できる。
【０１０８】
Ｂ−２．第３実施形態：
図２７は、第３実施形態の液体収容体セットを説明するための第１の図である。図２８は、第３実施形態の液体収容体セットを説明するための第２の図である。第３実施形態の液体収容体セット２０ｂと、図２７に示す第２実施形態の液体収容体セット２０ａとの違いは、第２回路基板４００を備えるアダプター２４５Ｂａが、液体収容体２０Ａ，２０Ｂａ，２０Ｃの第１側面としての第３面２０３Ａ，２０３Ｂ１，２０３Ｃに着脱自在に装着できる点である。第３実施形態の液体収容体セット２０ｂにおいて、第２実施形態の液体収容体セット２０ａと同様の構成については同一符号を付すと共に、適宜説明を省略する。なお、第３面２０３Ａ，２０３Ｂ１，２０３ＣとＹ軸方向に対向し、＋Ｙ方向側に位置する第４面２０４Ａ，２０４Ｂ，２０４Ｃを第２側面２０４Ａ，２０４Ｂ，２０４Ｃとも呼ぶ。
【０１０９】
液体収容体セット２０ｂは、第２カートリッジ２０と互換性を有し、装着部６０２の第２装着部６０２Ｔに着脱できる。液体収容体セット２０ｂは、別体に構成された３つの液体収容体２０Ａ，２０Ｂａ，２０Ｃと、アダプター２４５Ｂａと、を備える。アダプター２４５Ｂａは、表面２０３Ｂａ側に第２回路基板４００が設けられている。第２回路基板４００の記憶装置４２０には、第２実施形態と同様に、３つの液体収容体２０Ａ，２０Ｂａ，２０Ｃに関する情報が記憶されている。
【０１１０】
アダプター２４５Ｂａは、３つの液体収容体２０Ａ，２０Ｂａ，２０Ｃの第３面２０３Ａ，２０３Ｂ１，２０３Ｃに着脱自在に取り付けることができる。着脱するための機構としては、アダプター２４５Ｂａの裏面２０３Ｂｆに粘着テープを設けたり、係合爪をアダプター２４５Ｂａに設けると共に、係合爪が係合する係合穴を外殻２１Ａ，２１Ｂａ，２１Ｃに設けたりすることで実現できる。本実施形態では、アダプター２４５Ｂａは、液体収容体２０Ｂａの第３面２０３Ｂ１に着脱自在に取り付けられる。
【０１１１】
液体収容体２０Ｂａは、収容する液体の種類が異なるのみで、液体収容体２０Ａ，２０Ｃと同様の構成である。つまり、液体収容体２０Ｂａは、略直方体形状の外殻２１Ｂａを有する。液体収容体２０Ｂａは、マゼンタインクを収容する。
【０１１２】
液体収容体２０Ｂａは、外殻２１Ｂａの一部である第１側面２０３Ｂ１には、第２回路基板４００が設けられておらず他の液体収容体２０Ａ，２０Ｃの第３面としての第１側面２０３Ａ，２０３Ｃと同じ構成である。Ｙ方向について、第１側面２０３Ｂ１と第２側面２０４Ｂとの距離Ｄ２ａと、第１側面２０３Ａ，２０３Ｃと第２側面２０４Ａ、２０４Ｃとの距離Ｄ１とは同じである。
【０１１３】
図２８に示すように、第２装着部６０２Ｔに液体収容体セット２０ｂが装着された場合、３つの液体収容体２０Ａ，２０Ｂａ，２０Ｃは、装着部６０２に対してＸ方向に並べて配置される。また、アダプター２４５Ｂａは、−Ｙ方向側に位置する第３面２０３Ａ，２０３Ｂ１，２０３Ｃ側に配置される。また、液体収容体２０Ｂａに装着されたアダプター２４５Ｂａの回路基板４００は、第２装着部６０２Ｔに装着された状態において、第２凹部７５Ａ内に配置される。これにより、装着状態において、第２回路基板４００がＸ方向に動くことを規制できるので、接触部ｃｐの位置の変動を抑制できる。よって、第２回路基板４００の接触部ｃｐと装置側端子群７９９Ａとの接触を良好に維持することができる。
【０１１４】
上記第３実施形態によれば、２以上の液体収容体２０Ａ，２０Ｂａ，２０Ｃが別体に構成されているため、２以上の液体収容体２０Ａ，２０Ｂａ，２０Ｃのそれぞれを独立して新たな液体収容体に交換できる。これにより、液体収容体セット２０ｂの液体を有効に利用することができる。また、アダプター２４５Ｂａが個々の液体収容体２０Ａ，２０Ｂａ，２０Ｃに着脱可能に構成されているので、いずれの液体収容体２０Ａ，２０Ｂａ，２０Ｃについても中央に位置するマゼンタインクを収容する液体収容体として用いることができ、汎用性の低下を抑制できる。
【０１１５】
Ｂ−３．第４実施形態：
図２９は、第４実施形態の液体収容体セットを説明するための図である。第４実施形態の液体収容体セット２０ｃと、図２４に示す第２実施形態の液体収容体セット２０ａの違いは、第１種液体収容体２０Ａｃ，２０Ｃｃが、第２種液体収容体２０Ｂや、図１２に示す第１カートリッジ１０を加工して製造された点である。第４実施形態の液体収容体セット２０ｃにおいて、第２実施形態の液体収容体セット２０ａと同様の構成については同一符号を付すと共に、適宜説明を省略する。
【０１１６】
液体収容体セット２０ｃは、第２カートリッジ２０と互換性を有し、装着部６０２の第２装着部６０２Ｔに着脱できる。第１種液体収容体２０Ａｃ，２０Ｃｃは、例えば、使用済みの第２種液体収容体２０Ｂから突出部２４５Ｂを削ることで製造できる。これにより、第１種液体収容体２０Ａｃ，２０Ｃｃは、回路基板４００を有していない。
【０１１７】
上記第４実施形態によれば、液体収容体セット２０ａと同様の構成を有する点において同様の効果を奏する。さらに、第４実施形態によれば、第１種液体収容体２０Ａｃ，２０Ｃｃが、第２種液体収容体２０Ｂや、図１２に示す第１カートリッジ１０を加工して製造されるので、第２種液体収容体２０Ｂや第１カートリッジ１０を有効利用できる。
【０１１８】
Ｂ−４．第５実施形態：
図３０は、第５実施形態の液体収容体セットを説明するための第１図である。図３１は、第５実施形態の液体収容体セットを説明するための第２図である。第５実施形態の液体収容体セット２０ｄと、図２７に示す第２実施形態の液体収容体セット２０ａの違いは、３つの液体収容体２０Ａｄ，２０Ｂｄ，２０Ｃｄに亘って、アダプター２４５Ｂｄが着脱自在に装着される点である。第５実施形態の液体収容体セット２０ｄにおいて、第２実施形態の液体収容体セット２０ａと同様の構成については同一符号を付すと共に、適宜説明を省略する。
【０１１９】
液体収容体セット２０ｄは、第２カートリッジ２０と互換性を有し、装着部６０２の第２装着部６０２Ｔに着脱できる。３つの液体収容体２０Ａｄ，２０Ｂｄ，２０Ｃｄは別体に構成されている。３つの液体収容体２０Ａｄ，２０Ｂｄ，２０Ｃｄは、収容する液体の種類が異なる点でのみ相違し、形状および構成は同一である。液体収容体２０Ａｄはイエローインクを収容し、液体収容体２０Ｂｄはマゼンタインクを収容し、液体収容体２０Ｃｄはシアンインクを収容する。
【０１２０】
３つの液体収容体２０Ａｄ，２０Ｂｄ，２０Ｃｄの外殻２１Ａｄ，２１Ｂｄ，２１Ｃｄはそれぞれ略直方体形状である。３つの液体収容体２０Ａｄ，２０Ｂｄ，２０Ｃｄは、外殻２１Ａｄ，２１Ｂｄ，２１Ｃｄを構成する第１面〜第６面２０６Ａ，２０６Ｂ，２０６Ｃを有する。図３０では、底面を構成する第１面の図示は省略している。ここで、第３面２０３Ａ，２０３Ｂ，２０３Ｃと第４面２０４Ａ、２０４Ｂ、２０４ＣとはＹ方向に対向する。第３面２０３Ａ，２０３Ｂ，２０３Ｃは−Ｙ方向側に位置し、第１側面２０３Ａ，２０３Ｂ，２０３Ｃとも呼ぶ。第４面２０４Ａ、２０４Ｂ、２０４Ｃは＋Ｙ方向側に位置し、第２側面２０４Ａ、２０４Ｂ、２０４Ｃとも呼ぶ。
【０１２１】
アダプター２４５Ｂｄは、板状の本体部３０１と、本体部３０１から突出する突出部３０２と、突出部３０２の表面３０ｆａに配置された第２回路基板４００とを備える。第２回路基板４００の記憶装置４２０には、第２実施形態と同様に、３つの液体収容体２０Ａ，２０Ｂａ，２０Ｃに関する情報が記憶されている。
【０１２２】
アダプター２４５Ｂｄは、３つの液体収容体２０Ａｄ，２０Ｂｄ，２０Ｃｄの第３面２０３Ａ，２０３Ｂ，２０３Ｃに着脱自在に装着できる。着脱するための機構としては、本体部３０１の裏面３０１ｆａに粘着テープを設けたり、係合爪をアダプター２４５Ｂｄに設けると共に、係合爪が係合する係合穴を外殻２１Ａｄ，２１Ｂｄ，２１Ｃｄに設けたりすることで実現できる。
【０１２３】
図３１に示すように、第２装着部６０２Ｔに液体収容体セット２０ｄが装着された場合、３つの液体収容体２０Ａｄ，２０Ｂｄ，２０Ｃｄは、装着部６０２に対してＸ方向に並べて配置される。また、第２装着部６０２Ｔに液体収容体セット２０ｄが装着された場合、アダプター２４５Ｂｄは、−Ｙ方向側である第１側面２０３Ａ，２０３Ｂ，２０３Ｃ側に配置される。また、アダプター２４５Ｂｄの第２回路基板４００は、第２装着部６０２Ｔに装着された状態において、第２凹部７５Ａ内に配置される。これにより、装着状態において、第２回路基板４００がＸ方向に動くことを規制できるので、接触部ｃｐの位置の変動を抑制できる。よって、第２回路基板４００の接触部ｃｐと装置側端子群７９９Ａとの接触を良好に維持することができる。
【０１２４】
上記第５実施形態によれば、２以上の液体収容体２０Ａｄ，２０Ｂｄ，２０Ｃｄが別体に構成されているため、２以上の液体収容体２０Ａｄ，２０Ｂｄ，２０Ｃｄのそれぞれを独立して新たな液体収容体に交換できる。これにより、液体収容体セット２０ｄの液体を有効に利用することができる。また、アダプター２４５Ｂｄによって、２以上の液体収容体２０Ａｄ，２０Ｂｄ，２０Ｃｄの形状を同様にできるので、汎用性の低下を抑制できる。
【０１２５】
Ｂ−５．第６実施形態：
図３２は、第６実施形態の液体収容体セットを説明するための第１の図である。図３２は、第６実施形態の液体収容体セットを説明するための第２の図である。第６実施形態の液体収容体セット２０ｅと、図３０に示す第５実施形態の液体収容体セット２０ｄの違いは、液体収容体２０Ａｄ〜２０Ｄｄの数と、アダプター２４５Ｂｅの構成である。第６実施形態の液体収容体セット２０ｅにおいて、第５実施形態の液体収容体セット２０ｄと同様の構成については同一符号を付すと共に、適宜説明を省略する。
【０１２６】
液体収容体セット２０ｅは、第１カートリッジ１０および第２カートリッジ２０と互換性を有し、装着部６０２の第１装着部６０２Ｗおよび第２装着部６０２Ｔに着脱できる。４つの液体収容体２０Ａｄ，２０Ｂｄ，２０Ｃｄ，２０Ｄｄは別体に構成されている。液体収容体２０Ａｄはイエローインクを収容し、液体収容体２０Ｂｄはマゼンタインクを収容し、液体収容体２０Ｃｄはシアンインクを収容し、液体収容体２０Ｄｄはブラックインクを収容する。
【０１２７】
液体収容体２０Ｄｄの外殻２１Ｄｄは、３つの液体収容体２０Ａｄ，２０Ｂｄ，２０Ｃｄ，２０Ｄｄの外殻２１Ａｄ，２１Ｂｄ，２１Ｃｄと同様に略直方体形状である。４つの液体収容体２０Ａｄ，２０Ｂｄ，２０Ｃｄ，２０Ｄｄは、外殻２１Ａｄ，２１Ｂｄ，２１Ｃｄ，２１Ｄｄを構成する第１面〜第６面２０６Ａ，２０６Ｂ，２０６Ｃ，２０６Ｄを有する。図３２では、底面を構成する第１面の図示は省略している。
【０１２８】
アダプター２４５Ｂｅは、板状の本体部３０１と、本体部３０１から突出する第１突出部３０３および第２突出部３０２と、第１突出部３０３に配置された第１回路基板３０と、第２突出部３０２に配置された第２回路基板４００とを有する。第１回路基板３０の記憶装置３２０には、液体収容体２０Ｄｄに関する情報が記憶されている。第２回路基板４００の記憶装置４２０には、３つの液体収容体２０Ａｄ，２０Ｂｄ，２０Ｃｄに関する情報が記憶されている。
【０１２９】
アダプター２４５Ｂｅは、４つの液体収容体２０Ａｄ，２０Ｂｄ，２０Ｃｄ，２０Ｄｄの第３面２０３Ａ，２０３Ｂ，２０３Ｃ，２０３Ｄに着脱自在に装着できる。着脱するための機構としては、本体部３０１の裏面３０１ｆａに粘着テープを設けたり、係合爪をアダプター２４５Ｂｅに設けると共に、係合爪が係合する係合穴を外殻２１Ａｄ，２１Ｂｄ，２１Ｃｄ，２１Ｄｄに設けたりすることで実現できる。
【０１３０】
図３３に示すように、第１装着部６０２Ｗおよび第２装着部６０２Ｔに液体収容体セット２０ｅが装着された場合、４つの液体収容体２０Ａｄ，２０Ｂｄ，２０Ｃｄ，２０Ｄｄは、装着部６０２に対してＸ方向に並べて配置される。また、第１回路基板３０は第１凹部７５Ｂ内に配置され、第２回路基板４００は第２凹部７５Ａ内に配置される。これにより、第１回路基板３０は第１装置側端子群７９９Ｂと接触し、第２回路基板４００は第２装置側端子群７９９Ａと接触する。また、第１回路基板３０が第１凹部７５Ｂ内に配置され、第２回路基板４００が第２凹部７５Ａ内に配置されることで、装着状態において、第１回路基板３０および第２回路基板４００がＸ方向に動くことを規制できる。よって、接触部ｃｐの位置の変動を抑制できるので、接触部ｃｐと第１装置側端子群７９９Ｂおよび第２装置側端子群７９９Ａとの接触を良好に維持することができる。
【０１３１】
上記第６実施形態によれば、２以上の液体収容体２０Ａｄ，２０Ｂｄ，２０Ｃｄ，２０Ｄｄが別体に構成されているため、２以上の液体収容体２０Ａｄ，２０Ｂｄ，２０Ｃｄ，２０Ｄｄのそれぞれを独立して新たな液体収容体に交換できる。これにより、液体収容体セット２０ｅの液体を有効に利用することができる。また、アダプター２４５Ｂｅを有することで、４つの液体収容体２０Ａｄ，２０Ｂｄ，２０Ｃｄ，２０Ｄｄの形状を同一にできる。つまり、４つの液体収容体２０Ａｄ，２０Ｂｄ，２０Ｃｄ，２０Ｄｄは収容するインクの種類のみことなるため、汎用性の低下を抑制できる。
【０１３２】
Ｂ−６．第７実施形態：
図３４は第７実施形態の液体収容体を説明するための図である。上記各実施形態と同様の構成については同一符号を付すと共に、適宜説明を省略する。液体収容体２０ｆは、第１装着部６０２Ｗと第２装着部６０２Ｔに亘って装着できる。つまり、液体収容体２０ｆは、単一種類の液体を収容する液体収容部２００ｅと、第１回路基板３０と第２回路基板４００とを有するアダプター２４５Ｂｅとを備える。本実施形態では、液体収容部２００ｅには使用量が多いブラックインクが収容されている。液体収容部２００ｅは、略直方体形状の外殻２１ｆによって区画されている。アダプター２４５Ｂｅは、外殻２１ｆに対して着脱自在であっても良いし、外殻２１ｅと一体に構成されていてもよい。第１回路基板３０の第１記憶装置３２０ｆと、第２回路基板４００の第２記憶装置４２０ｆとはそれぞれ、液体収容体２０ｆに関する情報を記憶している。液体収容体２０ｆに関する情報としては、例えば、収容する液体の種類を表す情報、収容する液体の量を表す情報、液体の消費量を表す情報、液体収容体２０ｆの製造年月日を表す情報、液体収容体２０ｆの消費期限を表す情報がある。液体収容体２０ｆが装着部６０２に装着された場合、図１に示す制御部５１０は、一方の記憶装置である第１記憶装置３２０ｆと情報をやり取りする。なお、制御部５１０は、他方の第２記憶装置４２０ｆと情報をやり取りしてもよい。
【０１３３】
液体収容体２０ｆは、４つの液体供給針６４０Ａ，６４０Ｂ，６４０Ｃ，６４０Ｄに対応して４つの液体供給口２８０が設けられている。液体収容体２０ｆが装着部６０２に装着された装着状態では、第１回路基板３０は第１装置側端子群７９９Ｂと接触し、第２回路基板４００は第２装置側端子群７９９Ａと接触する。また、装着状態では、第１回路基板３０は第１凹部７５Ｂ内に配置され、第２回路基板４００は第２凹部７５Ａ内に配置される。
【０１３４】
上記第７実施形態によれば、液体収容体２０ｆは単一種類の液体を収容する液体収容部２００ｅと、２以上の液体供給口２８０とを有するので、１つの液体供給口２８０に対応した１つの液体収容部の場合に比べて大容量の液体を収容できる。また、第１回路基板３０が第１凹部７５Ｂ内に配置され、第２回路基板４００が第２凹部７５Ａ内に配置されることで、第１回路基板３０および第２回路基板４００の動きを規制できる。これにより、第１回路基板３０と第１装置側端子群７９９Ｂの接触、および、第２回路基板４００と第２装置側端子群７９９Ａの接触を良好に維持することができる。また、アダプター２４５Ｂｅが外殻２１ｅと別体である場合には、他の外殻２１ｅについてもアダプター２４５Ｂｅを着脱することができるので、液体収容体２０ｆの汎用性の低下をより抑制できる。
【０１３５】
Ｃ．他の実施形態：
Ｃ−１．他の実施形態１：
上記第２実施形態〜第５実施形態において、液体収容体セット２０ａ〜２０ｄは３つの液体収容体を有していたが、これに限定されるものはなく２つであってもよいし、装着部６０２が４つ以上のカラーインクを着脱できる場合は４つ以上であってもよい。
【０１３６】
Ｃ−２．他の実施形態２：
上記第３実施形態、第５実施形態、第６実施形態、第７実施形態のアダプター２４５Ｂａ，２４５Ｂｄ，２４５Ｂｅは、外殻２１Ｂａなどに着脱できなくてもよい。このようにしても、アダプター２４５Ｂａ，２４５Ｂｄ，２４５Ｂｅを外殻２１Ｂａなどとは独立して装着部６０２に装着することで、第１実施形態の第１カートリッジ１０や第２カートリッジ２０と互換性を持たせることができる。
【０１３７】
本発明は、インクジェット式のプリンター、及び、プリンターに用いられるカートリッジ、液体収容体、液体収容体セットに限らず、インク以外の他の液体を噴射する任意の液体噴射装置及びその液体噴射装置に用いられるカートリッジ、液体収容体、液体収容体セットにも適用することができる。例えば、以下のような各種の液体噴射装置及びそのカートリッジ、液体収容体、液体収容体セットに適用可能である。
（１）ファクシミリ装置等の画像記録装置
（２）液晶ディスプレイ等の画像表示装置用のカラーフィルターの製造に用いられる色材噴射装置
（３）有機ＥＬ(Electro Luminescence)ディスプレイや、面発光ディスプレイ (Field Emission Display、ＦＥＤ)等の電極形成に用いられる電極材噴射装置
（４）バイオチップ製造に用いられる生体有機物を含む液体を噴射する液体噴射装置
（５）精密ピペットとしての試料噴射装置
（６）潤滑油の噴射装置
（７）樹脂液の噴射装置
（８）時計やカメラ等の精密機械にピンポイントで潤滑油を噴射する液体噴射装置
（９）光通信素子等に用いられる微小半球レンズ（光学レンズ）などを形成するために紫外線硬化樹脂液等の透明樹脂液を基板上に噴射する液体噴射装置
（１０）基板などをエッチングするために酸性又はアルカリ性のエッチング液を噴射する液体噴射装置
（１１）他の任意の微小量の液滴を吐出させる液体噴射ヘッドを備える液体噴射装置。
【０１３８】
なお、「液滴」とは、液体噴射装置から吐出される液体の状態をいい、粒状、涙状、糸状に尾を引くものも含むものとする。また、ここでいう「液体」とは、液体噴射装置が噴射させることができるような材料であれば良い。例えば、「液体」は、物質が液相であるときの状態の材料であれば良く、粘性の高い又は低い液状態の材料、及び、ゾル、ゲル水、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。また、液体の代表的な例としては上記実施形態で説明したようなインクや液晶等が挙げられる。ここで、インクとは一般的な水性インクおよび油性インク並びにジェルインク、ホットメルトインク等の各種の液体状組成物を包含するものとする。
【０１３９】
本発明は、上述した実施形態に限られるものではなく、その趣旨を逸脱しない範囲において種々の形態で実現することができる。例えば、本発明は、以下の形態（aspect）によっても実現可能である。以下に記載した各形態中の技術的特徴に対応する上記実施形態中の技術的特徴は、本発明の課題の一部又は全部を解決するために、あるいは、本発明の効果の一部又は全部を達成するために、適宜、差し替えや、組み合わせを行うことが可能である。また、その技術的特徴が本明細書中に必須なものとして説明されていなければ、適宜、削除することが可能である。
【０１４０】
（１）本発明の一形態によれば、凹部を有する装置側側壁と、前記凹部に配置された装置側端子と、を有する液体噴射装置の装着部に装着される液体収容体セットが提供される。この液体収容体セットは、  別体に構成された２以上の液体収容体を備え、前記２以上の液体収容体のうち、基板が設けられていない前記液体収容体を第１種液体収容体とし、記憶装置を有する前記基板であって前記装置側端子と接触するための前記基板が設けられた前記液体収容体を第２種液体収容体とし、互いに直交する２つの方向をＸ方向およびＹ方向としたとき、前記第１種液体収容体と前記第２種液体収容体は、それぞれ、前記Ｙ方向に対向する第１側面と第２側面であって、−Ｙ方向側に位置する第１側面と、＋Ｙ方向側に位置する第２側面と、を有し、前記第２種液体収容体の前記第１側面に、前記基板が配置され、前記Ｙ方向について、前記第２種液体収容体の前記第１側面と前記第２側面との距離は、前記第１種液体収容体の前記第１側面と前記第２側面との距離よりも大きく、前記基板は、前記第２種液体収容体が前記装着部に装着された状態において、前記凹部内に配置され、前記記憶装置には、前記２以上の液体収容体に関する情報が記憶されている。この形態によれば、２以上の液体収容体が別体に構成されているため、２以上の液体収容体のそれぞれを独立して新たな液体収容体に交換できる。これにより、液体収容体セットの液体を有効に利用することができ、また、汎用性の低下を抑制できる。また、基板が凹部内に配置されることで、基板の動きを規制できるので、基板と装置側端子との接触を良好に維持することができる。
【０１４１】
（２）本発明の他の一形態によれば、凹部を有する装置側側壁と、前記凹部に配置された装置側端子と、を有する液体噴射装置の装着部に装着される液体収容体セットが提供される。この液体収容体セットは、別体に構成された２以上の液体収容体と、記憶装置を有する基板であって前記装置側端子と接触するための基板が設けられたアダプターと、を備え、互いに直交する２つの方向をＸ方向及びＹ方向としたとき、前記２以上の液体収容体は、前記装着部に対して前記Ｘ方向に並べて配置され、前記２以上の液体収容体はそれぞれ、前記Ｙ方向に対向する第１側面と第２側面であって、−Ｙ方向側に位置する第１側面と、＋Ｙ方向側に位置する第２側面と、を有し、前記液体収容体セットが前記装着部に装着されたときに、前記アダプターは前記第１側面側に配置され、前記基板は前記凹部内に配置され、前記記憶装置には、前記２以上の液体収容体に関する情報が記憶されている。この形態によれば、２以上の液体収容体が別体に構成されているため、２以上の液体収容体のそれぞれを独立して新たな液体収容体に交換できる。これにより、液体収容体セットの液体を有効に利用することができる。また、基板が凹部内に配置されることで、基板の動きを規制できるので、基板と装置側端子との接触を良好に維持することができる。また、アダプターを有することで、液体収容体の汎用性の低下を抑制できる。
【０１４２】
（３）本発明の他の一形態によれば、第１凹部と第２凹部とを有する装置側側壁と、前記第１凹部に配置された第１装置側端子と、前記第２凹部に配置された第２装置側端子と、を有する液体噴射装置の装着部に装着される液体収容体セットが提供される。この液体収容体セットは、別体に構成された３以上の液体収容体と、アダプターと、を備え、前記アダプターは、第１記憶装置を有する第１基板であって前記第１装置側端子と接触するための第１基板と、第２記憶装置を有する第２基板であって前記第２装置側端子と接触するための第２基板と、を有し、互いに直交する２つの方向をＸ方向及びＹ方向としたとき、前記３以上の液体収容体は、前記装着部に対して前記Ｘ方向に並べて配置され、前記３以上の液体収容体はそれぞれ、前記Ｙ方向に対向する第１側面と第２側面であって、−Ｙ方向側に位置する第１側面と、＋Ｙ方向側に位置する第２側面と、を有し、前記液体収容体セットが前記装着部に装着されたときに、前記アダプターは前記第１側面側に配置され、前記第１基板は前記第１凹部内に配置され、前記第２基板は前記第２凹部内に配置され、前記第２記憶装置には、２以上の前記液体収容体に関する情報が記憶されている。この形態によれば、２以上の液体収容体が別体に構成されているため、２以上の液体収容体のそれぞれを独立して新たな液体収容体に交換できる。これにより、液体収容体セットの液体を有効に利用することができる。また、基板が凹部内に配置されることで、基板の動きを規制できるので、基板と装置側端子との接触を良好に維持することができる。また、アダプターを有することで、液体収容体の汎用性の低下を抑制できる。
【０１４３】
（４）本発明の他の一形態によれば、互いに直交する２つの方向をＸ方向およびＹ方向としたとき、前記Ｘ方向に並べて設けられた２以上の液体供給針と、−Ｙ方向側に位置する装置側側壁であって、第１装置側端子が配置された第１凹部と、第２装置側端子が配置された第２凹部とを有する液体噴射装置の装着部に装着される液体収容体が提供される。この液体収容体は、単一種類の液体を収容する液体収容部と、前記２以上の液体供給針に対応して設けられた２以上の液体供給口と、第１記憶装置を有する第１基板であって前記第１装置側端子と接触するための第１基板と、第２記憶装置を有する第２基板であって前記第２装置側端子と接触するための第２基板と、を備え、前記液体収容体が前記装着部に装着された状態では、前記第１基板は前記第１凹部内に配置され、前記第２基板は前記第２凹部内に配置される。この形態によれば、液体収容体は単一種類の液体を収容する液体収容部と、２以上の液体供給口とを有するので、１つの液体供給口に対応した１つの液体収容部の場合に比べて大容量の液体を収容できる。また、第１基板が第１凹部内に配置され、第２基板が第２凹部内に配置されることで、第１基板および第２基板の動きを規制できる。これにより、第１基板と第１装置側端子の接触、および、第２基板と第２装置側端子の接触を良好に維持することができる。
【０１４４】
（５）上記形態であって、さらに、前記液体収容部を区画する外殻と、前記外殻と別体に設けられ、前記第１基板と前記第２基板とが設けられたアダプターと、を有していてもよい。この形態によれば、アダプターを有することで、液体収容体の汎用性の低下を抑制できる。
【符号の説明】
【０１４５】
３．３Ｖ…定格、５…カートリッジセット、１０…第１カートリッジ、１２…外殻、１３…上面、１４…底面、１５…背面、１６…正面、１７…左側面、１８…右側面、１９…大気導入口、２０…第２カートリッジ、２０Ａ，２０Ａｃ…第１種液体収容体、２０Ａｄ…液体収容体、２０Ｂ…第２種液体収容体、２０Ｂａ…液体収容体、２０Ｂｄ…液体収容体、２０Ｃ…他方側液体収容体、２０Ｃｄ…液体収容体、２０Ｄｄ…液体収容体、２０ａ，２０ｂ，２０ｃ，２０ｄ，２０ｅ…液体収容体セット、２０ｆ…液体収容体、２１，２１Ａ，２１Ａｄ，２１Ｂ，２１Ｂａ，２１Ｃ，２１Ｄｄ，２１ｅ，２１ｆ…外殻、２２…仕切壁、３０…第１回路基板、３０ｆａ…表面、３１…カートリッジ側端子、５０…液体噴射装置、６０…カートリッジホルダー、７０…接点機構、７０Ａ…第２接点機構、７０Ｂ…第１接点機構、７５Ａ…第２凹部、７５Ｂ…第１凹部、９０…液体噴射システム、１００…第１液体収容室、１２０…係合部材、１２２…カートリッジ側係合部、１４２…連通孔、１５０…弁機構、１５２…弁体、１５５…付勢部材、１８０…液体供給口、１８３…フィルム、１８８…開口、２００，２００Ａ，２００Ｂ，２００Ｃ…第２液体収容室、２００ｅ…液体収容部、２０１…底面、２０１Ａ…第１面、２０１Ｂ…第１面、２０１Ｃ…第１面、２０２…上面、２０２Ａ…第２面、２０２Ｂ…第２面、２０３…第２側面、２０３Ａ…第３面（第１の第１側面）、２０３Ｂ…第３面（第２の第１側面）、２０３Ｂ１…第２の第１側面、２０３Ｂｆ…裏面、２０４…上面、２０４Ａ…第４面（第１の第２側面）、２０４Ｂ…第４面（第２の第２側面）、２０５…第３側面、２０５Ａ…第５面、２０５Ｂ…第５面、２０６…第４側面、２０６Ａ…第６面、２０６Ｂ…第６面、２０６Ｃ…第６面、２０９…接続面、２３０…係合部材、２３１…第１端部、２３２…第２端部、２３５…カートリッジ側係合部、２４１…第２面部、２４２…第１面部、２４５…突出面部、２４５Ｂ…突出部、２４５Ｂａ，２４５Ｂｄ，２４５Ｂｅ…アダプター、２４６…第１突出面部、２４６Ａ…第２側部、２４６Ｂ…第１側部、２４７…第２突出面部、２８０，２８０Ａ，２８０Ｂ，２８０Ｃ…液体供給口、２８３Ａ，２８３Ｂ，２８３Ｃ…周囲部材、２８４…弁機構、２８５…付勢部材、２８６…弁体、２８７…シール部、２８８…開口、２８９…液体供給部、２９９…液体吸収体、３０１…本体部、３０１ｆａ…裏面、３０２…第２突出部、３０３…第１突出部、３２０…第１記憶装置、３２０ｆ…第１記憶装置、４００…回路基板、４００ｆａ…表面、４００ｆｂ…裏面、４０１…ボス溝、４０２…ボス孔、４２０、４２０ｆ…第２記憶装置、４３１…装着検出端子、４３１Ｐ…第３の外側部分、４３２…リセット端子、４３３…クロック端子、４３４Ｐ…第４の外側部分、４３５…第１の端子、４３５Ｐ…第１の外側部分、４３６…電源端子、４３７…接地端子、４３８…データ端子、４３９…第２の端子、４３９Ｐ…第２の外側部分、４９９…カートリッジ側端子群、５１０…制御部、５１５…印刷媒体、５１７…フレキシブルケーブル、５２０…キャリッジ、５２２…キャリッジモーター、５２４…駆動ベルト、５３２…搬送モーター、５３４…プラテン、５４０…ヘッド、５４２…下面、５４４Ａ…第２種射出口部、５４４Ｂ…第２種射出口部、５４４Ｃ…第２種射出口部、５４４Ｄ…第１種射出口部、５４６…射出口、６０１…装置側第１壁部、６０２…装着部、６０２Ｔ…第２側着部、６０２Ｗ…第１装着部、６０３…第１装置側側壁部、６０３Ａ…装置側側壁、６０４…第２装置側側壁部、６０５…第３装置側側壁部、６０６…第４装置側側壁部、６１５…装置側規制壁部、６３２…装置側係合部、６３２Ａ…装置側係合部、６３２Ｄ…装置側係合部、６３３…面、６３５…規制部、６３５Ａ…第１規制部、６３５Ｂ…第２規制部、６３５Ｃ…第３規制部、６３５ｆａ…第１規制壁面、６３５ｆｂ…第２規制壁面、６３５ｆｃ…第３規制壁面、６３５ｆｄ…第４規制壁面、６４０，６４０Ａ，６４０Ｂ，６４０Ｃ，６４０Ｄ…液体供給針、６４２…先端部、６４５…基端部、６４５ｆｂ…第２規制壁面、７０１…スリット、７０３…接点形成部材、７０５…保持部材、７１０…装置側端子、７９０Ａ…中継基板、７９２…端部、７９３…端部、７９９Ａ…第２装置側端子群、７９９Ｂ…第１装置側端子群、Ｃ…中心軸、ＣＴ…中心軸、Ｄ１…距離、Ｄ２…距離、Ｄ２ａ…距離、ｃｐ…接触部
【図１】
2020001300.tif 000003
【図２】
2020001300.tif 000004
【図３】
2020001300.tif 000005
【図４】
2020001300.tif 000006
【図５】
2020001300.tif 000007
【図６】
2020001300.tif 000008
【図７】
2020001300.tif 000009
【図８】
2020001300.tif 000010
【図９】
2020001300.tif 000011
【図１０】
2020001300.tif 000012
【図１１】
2020001300.tif 000013
【図１２】
2020001300.tif 000014
【図１３】
2020001300.tif 000015
【図１４】
2020001300.tif 000016
【図１５】
2020001300.tif 000017
【図１６】
2020001300.tif 000018
【図１７】
2020001300.tif 000019
【図１８】
2020001300.tif 000020
【図１９】
2020001300.tif 000021
【図２０】
2020001300.tif 000022
【図２１】
2020001300.tif 000023
【図２２】
2020001300.tif 000024
【図２３】
2020001300.tif 000025
【図２４】
2020001300.tif 000026
【図２５】
2020001300.tif 000027
【図２６】
2020001300.tif 000028
【図２７】
2020001300.tif 000029
【図２８】
2020001300.tif 000030
【図２９】
2020001300.tif 000031
【図３０】
2020001300.tif 000032
【図３１】
2020001300.tif 000033
【図３２】
2020001300.tif 000034
【図３３】
2020001300.tif 000035
【図３４】
2020001300.tif 000036